(57)【特許請求の範囲】
【請求項１】
内蔵ファイバを内挿固定したフェルールと、前記フェルールの後方に設けられ、前記内蔵ファイバと突き合わせるための後方から挿入された挿入ファイバの被覆を除去する被覆除去部材とを備え、
前記被覆除去部材は、挿入ファイバの被覆を除去する被覆除去刃の後側に、前記挿入ファイバを前記被覆除去刃に導く被覆付き光ファイバ挿通孔を備え、
前記被覆付き光ファイバ挿通孔の前端部内周面の周方向３箇所以上に、前記挿入ファイバの位置決め用の突部が突設されており、
前記突部は、その後端から前側に行くにしたがって前記被覆付き光ファイバ挿通孔の軸線に接近する傾斜面であるファイバ当接案内部を有し、
前記ファイバ当接案内部では、前記被覆付き光ファイバ挿通孔の軸線からの距離が前後方向に垂直の断面内で最短の部位が、前後方向全体にわたって、連続して存在しており、
前記突部では、各ファイバ当接案内部の前端の最大突出部が、前記被覆付き光ファイバ挿通孔の軸線と同軸の仮想円周上に位置しており、
前記ファイバ当接案内部における前記前端を除く部分が、前後方向に垂直の断面内で、前記被覆付き光ファイバ挿通孔の半径よりも大きい湾曲半径を以て湾曲する凹曲面となっている光コネクタ。
【請求項２】
前記挿入ファイバの外径は、標準的には２５０μｍであり、
前記被覆付き光ファイバ挿通孔の内径は、前記挿入ファイバの外径に対して１０〜２０μｍ大きくなっており、
前記仮想円周の直径は、前記挿入ファイバの外径に対して５〜１０μｍ小さくなっている
請求項１に記載の光コネクタ。
【発明の詳細な説明】
【技術分野】
【０００１】
本発明は、フェルールに内挿固定した内蔵ファイバの後端に光ファイバを突き合わせ接続して、前記光ファイバに組み立てられる現場組立形の光コネクタに関する。
【背景技術】
【０００２】
光ファイバ心線を突き合わせ接続する作業においては、心線先端部の被覆を除去して裸光ファイバを露出させ、裸光ファイバ同士を突き合わせ接続することが広く行われている。また、近年、例えば非特許文献１に示すような外観がテーパ筒状で極小の被覆除去部を光コネクタの内部に搭載して、光コネクタ自体に光ファイバ心線の被覆除去機能を持たせる技術の検討が進められている。
【０００３】
光コネクタとしては、予めフェルールに内挿固定した短尺の光ファイバ（以下単に「内蔵ファイバ」という場合がある）を、外部から挿入される光ファイバ（以下単に「挿入ファイバ」という場合がある）と突き合わせ接続した状態を保持するため、両光ファイバの突き合わせ端部同士を半割り部材の間に挟みこんで固定するクランプ部を、フェルール後方に設けたものも知られている（例えば特許文献１参照）。
【先行技術文献】
【特許文献】
【０００４】
【特許文献１】特開２００５−２０８２２０号公報
【非特許文献】
【０００５】
【非特許文献１】小山良、中島和秀、高谷雅昭、倉嶋利雄、“被覆付き光ファイバ心線の突合せ接続に関する考察”、２００９年電子情報通信学会通信ソサエティ大会、Ｂ−１３−８
【発明の概要】
【発明が解決しようとする課題】
【０００６】
本発明は、上記事情に鑑みてなされたものであり、被覆除去部による挿入ファイバの被覆除去を容易に実現できる光コネクタを提供することを課題とする。
【課題を解決するための手段】
【０００７】
上記課題を解決するために、本発明では以下の構成を提供する。
第１の発明は、内蔵ファイバを内挿固定したフェルールと、前記フェルールの後方に設けられ、前記内蔵ファイバと突き合わせるための後方から挿入された挿入ファイバの被覆を除去する被覆除去部材とを備え、前記被覆除去部材は、挿入ファイバの被覆を除去する被覆除去刃の後側に、前記挿入ファイバを前記被覆除去刃に導く被覆付き光ファイバ挿通孔を備え、前記被覆付き光ファイバ挿通孔の前端部内周面の周方向３箇所以上に、前記挿入ファイバの位置決め用の突部が突設されており、前記突部は、その後端から前側に行くにしたがって前記被覆付き光ファイバ挿通孔の軸線に接近する傾斜面であるファイバ当接案内部を有し、前記ファイバ当接案内部では、前記被覆付き光ファイバ挿通孔の軸線からの距離が前後方向に垂直の断面内で最短の部位が、前後方向全体にわたって、連続して存在しており、前記突部では、各ファイバ当接案内部の前端の最大突出部が、前記被覆付き光ファイバ挿通孔の軸線と同軸の仮想円周上に位置しており、前記ファイバ当接案内部における前記前端を除く部分が、前後方向に垂直の断面内で、前記被覆付き光ファイバ挿通孔の半径よりも大きい湾曲半径を以て湾曲する凹曲面となっている光コネクタを提供する。
第２の発明は、前記挿入ファイバの外径は、標準的には２５０μｍであり、前記被覆付き光ファイバ挿通孔の内径は、前記挿入ファイバの外径に対して１０〜２０μｍ大きくなっており、前記仮想円周の直径は、前記挿入ファイバの外径に対して５〜１０μｍ小さくなっている第１の発明の光コネクタを提供する。
【発明の効果】
【０００８】
本発明によれば、挿入ファイバとして、裸光ファイバを口出ししていない被覆付き光ファイバを用いた場合に、この挿入ファイバを被覆除去部材の被覆除去刃に向かって前進させるだけで、挿入ファイバ先端の裸光ファイバの口出し、及びこの裸光ファイバの内蔵ファイバ後端に対する突き合わせ接続を簡単に実現できる。
したがって、挿入ファイバ先端部に光コネクタを組み立てる作業において、光コネクタに挿入する被覆付き光ファイバ先端の被覆を除去して裸光ファイバを予め口出しする必要が無く、光コネクタの組み立てを簡単に行える。
【図面の簡単な説明】
【０００９】
【図１】本発明に係る実施例の光コネクタの一例を示す斜視図である。
【図２】図１の光コネクタの分解斜視図である。
【図３】図１の光コネクタの要部を示す断面図である。
【図４】図１の光コネクタのコネクタ本体の分解斜視図である。
【図５】図１の光コネクタのコネクタ本体の分解斜視図であり、図４とは別の方向から示したものである。
【図６】被覆除去部材の一例を示す（ａ）斜視図、（ｂ）平面図、（ｃ）断面図である。
【図７】介挿部材の一例を示す斜視図である。
【図８】図１の光コネクタを示す断面図である。
【図９】図１の光コネクタを示す断面図である。
【図１０】（ａ）、（ｂ）は、図１の光コネクタの拘束部付き可動ガイドを示す斜視図である。
【図１１】（ａ）、（ｂ）は、図１の光コネクタの後側ハウジング及び引き留めカバーを示す斜視図である。
【図１２】図１の光コネクタの後側ハウジング後端部の押圧部材受け部と拘束部付き可動ガイド後端部の可動ガイドとの関係を示す図であって、コネクタ後側から見た断面図である。
【図１３】図１の光コネクタの拘束部付き可動ガイドを示す側面図である。
【図１４】図１の光コネクタの組立中の状態を示す断面図である。
【図１５】図１の光コネクタの組立中の状態を示す断面図である。
【図１６】（ａ）は図１５のＡ−Ａ線に沿う断面図、（ｂ）は図１５のＢ−Ｂ線に沿う断面図である。
【図１７】図１４のＣ−Ｃ線に沿う断面図である。
【図１８】図１の光コネクタの組立中の状態を示す断面図である。
【図１９】図１の光コネクタの組立中の状態を示す断面図である。
【図２０】図１９のＤ−Ｄ線に沿う断面図である。
【図２１】図１の光コネクタの組立中の状態を示す断面図である。
【図２２】図２１のＥ−Ｅ線に沿う断面図である。
【図２３】図１の光コネクタの組立後の状態を示す断面図である。
【図２４】図１の光コネクタの組立後の状態を示す断面図である。
【図２５】図１の光コネクタのハウジングの周面に開口する連通孔及び窓を示す図である。
【図２６】図１の光コネクタの組み立てに使用可能な光ファイバ把持部（押圧用固定部材、外被把持部材）の一例を示す斜視図である。
【図２７】図２６の光ファイバ把持部の構造を示す図であって、把持ベースに対して押さえ蓋を開放した状態を示す斜視図である。
【図２８】図６の被覆除去部材の被覆付き光ファイバ挿通孔に突設する位置決め用突部の具体例を示す斜視図である。
【図２９】図２８の位置決め用突部を形成した被覆除去部材の被覆付き光ファイバ挿通孔の前端部の構造を示す拡大断面図である。
【図３０】図２９のＦ−Ｆ線に沿う断面図である。
【図３１】図２８の位置決め用突部を突設した被覆付き光ファイバ挿通孔の被覆除去部材の窓孔後側内壁面に開口する前端開口部の窓孔側から見た構造を示す拡大図である。
【図３２】図３１の被覆付き光ファイバ挿通孔の前端開口部における挿入ファイバの挿入状態の一例を示す図である。
【図３３】他の具体例の位置決め用突部を突設した被覆付き光ファイバ挿通孔の前端部の構造を示す斜視図である。
【図３４】図３３の被覆付き光ファイバ挿通孔の前端部における挿入ファイバの挿入状態の一例を示す図であって、被覆除去部材の窓孔側から見た状態を示す図である。
【図３５】別態様の被覆除去部材を示す（ａ）斜視図、（ｂ）平面図、（ｃ）断面図である。
【図３６】（ａ）、（ｂ）は、板状刃部を３以上有する構成の被覆除去部材の被覆除去部の例を示すモデル図である。
【図３７】（ａ）〜（ｄ）は、本発明の光コネクタ及びその組立方法の概要を説明する断面図である。
【発明を実施するための形態】
【００１０】
以下、好適な実施の形態に基づき、図面を参照して本発明を説明する。
まず、図３７（ａ）〜（ｄ）を参照して本発明に係る１実施例の概要を説明し、その後、図１〜２７を参照してより詳細な実施例を説明する。
なお、図３７（ａ）〜（ｄ）において、左側を前、右側を後として説明する。
【００１１】
まず、図３７（ａ）〜（ｄ）に示す実施例の光コネクタ１００について説明する。
前記光コネクタ１００は、光ファイバ１２が内挿固定されたフェルール１０を有している。フェルール１０に内挿固定された光ファイバ１２を、以下、内蔵ファイバとも言う。
前記光コネクタ１００は、前記フェルール１０先端（前端）の突き合わせ接合用の接合端面１１とは反対の後側に、単心の光ファイバ心線、光ファイバ素線といった被覆付き光ファイバ１の被覆２を除去する被覆除去部材３０を有する。前記被覆除去部材３０は、被覆付き光ファイバ１の被覆２を除去する被覆除去部３１（被覆除去刃）を有する。また、被覆除去部材３０は、フェルール１０の後端部から後側へ延出する後側延出片２７に固定して、フェルール１０後端から後側に離隔させて設けられている。
また、この光コネクタ１は、フェルール１０の後側に、前記被覆除去部材３０により被覆２が除去された裸光ファイバ３を内蔵ファイバ１２後端に突き合わせた突き合わせ接続部（図３７（ｃ）、（ｄ）の符号Ｐ。突き合わせ部分。以下、単に接続部とも言う）を把持固定するためのクランプ部２０を有する。
【００１２】
前記内蔵ファイバ１２は、フェルール１０を貫通する微細孔１０ａに内挿固定されており、その先端（前端）の端面を、前記フェルール１０の接合端面１１に揃えて設けられている。前記微細孔１０ａは、真っ直ぐな中心軸線を以てフェルール１０を前後方向に貫設する貫通孔である。また、前記内蔵ファイバ１２は、フェルール１０後端から後側に突出する後側突出部１２ａを有している。内蔵ファイバ１２は、その後端（後側突出部１２ａ後端）が被覆除去部材３０よりも前側、すなわちフェルール１０と被覆除去部材３０との間に位置する短尺の光ファイバ（ここでは裸光ファイバ）である。この内蔵ファイバ１２は、前記後側突出部１２ａから前側の部分をフェルール１０の微細孔１０ａに内挿固定して設けられている。
【００１３】
前記クランプ部２０は、前記後側延出片２７と、この後側延出片２７にコネクタ前後方向に延在形成された溝２５、２６に対向して配置された蓋部材２２、２３と、この蓋部材２２、２３を後側延出片２７に向かって閉じる方向に付勢するクランプばね２４とを有する。
クランプばね２４としては、特に限定は無いが、例えば図２、図４に示すようなスリーブ状のものを採用できる。スリーブ状のクランプばね２４としては、例えば、その断面形状（中心軸線に垂直の断面形状）がＣ字形のもの（図２、図４参照）であるが、これに限定されず、断面形状がコ字形のもの等も採用できる。本実施例のクランプ部２０は、１つのクランプばね２４の内側に、後側延出片２７と、コネクタ前後方向に配列設置した２つの蓋部材２２、２３とを収納した構成となっている。
【００１４】
前記クランプ部２０は、フェルール１０と被覆除去部材３０との間に配置された蓋部材２２（第２蓋部材。以下、前蓋部材とも言う）と後側延出片２７との間に、裸光ファイバ３と内蔵ファイバ１２との接続部Ｐを把持固定する第１クランプ部を有する。また、このクランプ部２０は、被覆除去部材３０の後側に配置された蓋部材２３（以下、後蓋部材とも言う）と後側延出片２７との間に被覆付き光ファイバ１（被覆２が除去されていない部分。被覆部）を把持固定する第２クランプ部を有する。
後側延出片２７と蓋部材２２，２３との間には、被覆付き光ファイバ１やその裸光ファイバ３を挿入する隙間２２ａ，２３ａを確保する介挿部材（図示略）が抜き去り可能に介挿されている。
なお、光コネクタとしては、互いに別体のクランプばねを用いて第１クランプ部（クランプ部）、第２クランプ部をそれぞれ組み立てた構成も採用可能である。
【００１５】
前記光コネクタ１００は、前記後側延出片２７の後側に、前記被覆付き光ファイバ１を挿通可能な貫通孔６３が形成された可動ガイド６２を有している。この可動ガイド６２は、例えば前記後側延出片２７を案内部材として、前記後側延出片２７から後側に離隔した初期位置からフェルール１０に向かって前進可能に設けられている。なお、前記可動ガイド６２の前記初期位置からの前進動を案内する案内部材としては前記後側延出片２７に限定されず、例えば、不図示のハウジングに設けられた案内部材などを用いても良い。
【００１６】
前記後側延出片２７は、前記後蓋部材２３に対向する部分から後側に延在する案内ベース部５１（ベース部材）を有している。また、後側延出片２７の前記案内ベース部５１から前側の部分２１を、以下、クランプベース部とも言う。このクランプベース部２１は、クランプ部２０の前蓋部材２２との間に、被覆除去部材３０によって被覆付き光ファイバ１先端部の被覆の除去された裸光ファイバ３と内蔵ファイバ１２との接続部Ｐを把持固定するベース部材として機能する。
【００１７】
前記後側延出片２７の前記被覆除去部材３０から後側に延出する部分（以下、後側片部とも言う）には、前記可動ガイド６２の貫通孔６３を介して被覆付き光ファイバ１が挿入されるファイバ収容溝２６（以下、単に収容溝とも言う）が、コネクタ前後方向に延在形成されている。収容溝２６としては、特に限定されるものではないが、本実施例では、単心の被覆付き光ファイバ１を後述する被覆除去部材３０の被覆除去部３１の裸光ファイバ挿通孔３３と同軸上に位置決めすることに鑑みて、例えばＵ溝、半円溝、Ｖ溝などを採用できる。
また、可動ガイド６２の貫通孔６３を介して前記収容溝２６に挿入する被覆付き光ファイバ１を、以下、挿入ファイバとも言う。
【００１８】
前記光コネクタ１００は、前記案内ベース部５１に形成されている前記収容溝２６に対向して配置されたガイド部材５０を有している。互いに重ね合わされた案内ベース部５１及びガイド部材５０は、案内ベース部５１後側から前記収容溝２６に挿入されて被覆除去部３１に向かって前進される挿入ファイバ１の先端部を案内する案内構造（後部ガイド部１１０）を形成する。前記ガイド部材５０は、ガイド部材５０に重ね合わせて設けられ、可動ガイド６２の貫通孔６３から前記収容溝２６に挿入されてフェルール１０に向かって前進する挿入ファイバ１を前記収容溝２６に押さえ込んで、該挿入ファイバ１のたわみ変形を規制する。
【００１９】
この光コネクタにおいて、前記ガイド部材５０は、後述のように、被覆除去部３１への押圧によって被覆除去した裸光ファイバ３先端を、内蔵ファイバ１２後端に突き合わせ接続した後に、挿入ファイバ１を収容溝２６に押さえ込んでたわみ変形を規制する閉じ位置から挿入ファイバ１のたわみ変形を許可する位置に退避される（図３７（ｄ）参照）。つまり、前記ガイド部材５０は、裸光ファイバ３先端の内蔵ファイバ１２後端に対する突き当て後に、前記閉じ位置から、案内ベース部５１の収容溝２６から浮き上がるように湾曲変形（たわみ変形）可能な空間を形成する位置（以下、開放位置とも言う）に移動される。前記ガイド部材５０を、以下、開放ガイドとも言う。
【００２０】
但し、閉じ位置にある開放ガイド５０は、挿入ファイバ１をファイバ収容溝２６に強く押し付けて案内ベース部５１に固定するのではなく、挿入ファイバ１の案内ベース部５１に対するコネクタ前後方向への円滑な相対移動を可能として押さえ込むものである。
また、開放ガイド５０は、挿入ファイバ１をファイバ収容溝２６に押さえ込むことで、挿入ファイバ１を、被覆除去部３１を貫通する裸光ファイバ挿通孔３３の中心軸線上に位置決めする機能を果たす。
【００２１】
挿入ファイバ１は、開放ガイド５０と収容溝２６溝底との間隔方向において開放ガイド５０と収容溝２６内面との間に確保されたファイバ収容領域ＦＳに、可動ガイド６２の貫通孔６３を介して挿入される。
図３７（ａ）に示すように、図示例の開放ガイド５０の、収容溝２６に対向する部分には、収容溝２６に沿って延在する延在凹所５０ａが形成されている。本実施例の光コネクタ１００のファイバ収容領域ＦＳは、後側延出片２７の収容溝２６（ベース部材の案内部）と前記開放ガイド５０の延在凹所５０ａ（開放ガイドの案内部）とによって構成されている。
【００２２】
次に、図示例の被覆除去部材３０について説明する。
本実施例の被覆除去部材３０の被覆除去部３１は、その後側から挿入ファイバ１が押圧されることで、挿入ファイバ１の被覆２を除去して裸光ファイバ３を口出しする被覆除去刃である。以下、この被覆除去部３１を被覆除去刃とも言う。
図３７（ａ）〜（ｄ）に例示した被覆除去刃３１は、裸光ファイバ挿通孔３３が貫通する筒状に形成され、該裸光ファイバ挿通孔３３の後端開口の縁が刃先とされた環状刃部３１ａである。図３７（ａ）〜（ｄ）に例示した環状刃部３１ａ（被覆除去部３１）は、その前端側から後側に行くに従って先細りのテーパ円筒状に形成されている。
図３７（ｃ）に示すように、この光コネクタ１００は、収容溝２６にその後側から挿入した挿入ファイバ１の先端を環状刃部３１ａ後端に押圧し、前記挿入ファイバ１をフェルール１０に向かって前進させることで、環状刃部３１ａによって挿入ファイバ１の被覆２を除去できる。被覆除去部材３０は、挿入ファイバ１の前進によって被覆除去が進行するに伴い、被覆除去によって挿入ファイバ１先端に口出しされた裸光ファイバ３が裸光ファイバ挿通孔３３に挿入されていく構成となっている。環状刃部３１ａは、挿入ファイバ１の裸光ファイバ３の周囲の被覆２を裸光ファイバ３から該環状刃部３１ａの外周へ分離させる。
【００２３】
また、図示例の被覆除去部材３０は、その前後方向中央部に、該被覆除去部材３０を前後方向に直交する方向に貫通する窓孔３２（図３７（ａ）参照）を有している。前記環状刃部３１ａは、被覆除去部材３０の前記窓孔３２の前側に位置する壁部から窓孔３２内に突設されたテーパ円筒状の突部である。また、図示例の被覆除去部材３０は、前記窓孔３２から後側の壁部を貫通して該被覆除去部材３０の後端に開口する被覆付き光ファイバ挿通孔３４を有している。この被覆付き光ファイバ挿通孔３４は前記裸光ファイバ挿通孔３３と同軸上に形成されている。被覆付き光ファイバ挿通孔３４の前端は環状刃部３１ａ後端から若干後側に位置している。コネクタ前後方向における被覆付き光ファイバ挿通孔３４前端と被覆除去刃３１との間の離隔距離は、被覆除去中に環状刃部３１ａ後端（刃先）に押圧される挿入ファイバ１の直進性維持の点では、出来るだけ小さくすることが好ましい。また、被覆付き光ファイバ挿通孔３４の後端は、後側延出片２７の収容溝２６に対して、該収容溝２６から挿入ファイバ１を挿入可能に位置決めされている。
【００２４】
被覆付き光ファイバ挿通孔３４は、その断面（被覆付き光ファイバ挿通孔３４の中心軸線に垂直の断面）が、挿入ファイバ１の断面（挿入ファイバ１の長手方向に垂直の断面）と概ね一致している。この被覆付き光ファイバ挿通孔３４は、挿入ファイバ１を裸光ファイバ挿通孔３３と同軸上に位置決めし、被覆除去のために環状刃部３１ａ後端に向かって押圧した挿入ファイバ１の座屈を防ぎ、除去ムラの発生を防止するとともに、円滑な被覆除去の実現に有効に寄与する。
また、この光コネクタ１００は、開放ガイド５０が挿入ファイバ１の被覆除去中のたわみ変形を規制するため、被覆除去部３１後端に対する挿入ファイバ１の押圧による被覆除去作業を安定に行える。
また、被覆付き光ファイバ挿通孔３４の前端部には、環状刃部３１ａ後端の刃先の軸線に挿入ファイバ１を高精度に位置決めするための突部３７（図６（ａ）〜（ｃ）、図２８参照）が突設されている。但し、図３７ではこの突部の図示を省略している。
【００２５】
図３７（ｄ）に示すように、この光コネクタ１００は、可動ガイド６２を前記初期位置から前進限界位置（例えば後側延出片２７後端に当接する位置）まで前進させることで、開放ガイド５０が、挿入ファイバ１を収容溝２６に押さえ込んでたわみ変形を規制する閉じ位置から、光コネクタ内に挿入ファイバ１のたわみ変形を許可する空間を形成する位置に退避（移動）する。この光コネクタ１００は、可動ガイド６２を初期位置から前進限界位置に前進させることで、可動ガイド６２から作用する押圧力によって、開放ガイド５０を前記閉じ位置から案内ベース部５１に対する開放位置に退避（移動）させる蓋部材移動機構を有している。
【００２６】
蓋部材移動機構としては、例えば図４、図５、図１８に例示したように、開放ガイド５０がスライド移動する案内ベース部５１のスライド面５１ａ（図４参照）に、開放ガイド５０の斜め前方への移動を案内するレール部５２を突設した構成を挙げることができる。図４、図５、図１８に例示した蓋部材移動機構は、可動ガイド６２によって後側から押圧された開放ガイド５０が、前記レール部５２に案内されて、前記閉じ位置から、前記スライド面５１ａに平行な面内で前記収容溝２６長手方向からずれた方向にスライド移動する。その結果、案内ベース部５１の収容溝２６上に挿入ファイバ１のたわみ変形を許可する空間が形成される。
【００２７】
蓋部材移動機構としては、初期位置から前進させた可動ガイド６２から作用する押圧力によって、開放ガイド５０を移動させ、結果、案内ベース部５１の収容溝２６上に挿入ファイバ１のたわみ変形を許可する空間を形成させるような構成であれば良く、開放ガイド５０をレール部５２によってスライド面５１ａに平行な面内でスライド移動させる構成に限定されない。蓋部材移動機構としては、例えば開放ガイド５０を前記閉じ位置からコネクタ前後方向に沿う軸線を中心に回動させて、挿入ファイバ１のたわみ変形を許可する位置に退避させる構成等も採用可能である。
【００２８】
図３７（ａ）〜（ｄ）は、後述のように可動ガイド６２をその後側から押圧して前進させる押圧用固定部材１２０（光ファイバ把持部）を先端部近傍に固定した挿入ファイバ１を用い、この挿入ファイバ１の先端部に光コネクタ１００を組み立てる、光コネクタの組立方法を例示している。本実施例は、より具体的には、挿入ファイバ１と、可撓性を有する線状の抗張力体（図示略）とを互いに並行になるように合成樹脂製の外被６によって一括被覆した光ファイバケーブル５の端末に、光コネクタ１００を組み立てる場合を示す。
【００２９】
ここでは、前記押圧用固定部材１２０として、光ファイバケーブル５端末をその両側から把持して光ファイバケーブル５端末に固定される外被把持形のものを用いている。すなわち、この押圧用固定部材１２０は、光ファイバケーブル５の外被を除去した挿入ファイバ１（被覆付き光ファイバ１）の被覆を把持する光ファイバ把持部としてだけでなく、光ファイバケーブル５の外被６を把持する外被把持部としても機能するものである。
光ファイバケーブル５端末には、光ファイバケーブル５先端の外被６を除去して露出させた（口出しした）挿入ファイバ１が突出されている。挿入ファイバ１は、光ファイバケーブル５端末に固定されている前記押圧用固定部材１２０から突出されている。
【００３０】
光ファイバケーブル５の端末に光コネクタ１００を組み立てるには、前記挿入ファイバ１の前記押圧用固定部材１２０から突出させた部分（突出部）を、光コネクタ１００の後側から、可動ガイド６２の貫通孔６３を介して後部ガイド部１１０のファイバ収容領域ＦＳに挿入し、フェルール１０に向かって押し込んでいく。
このとき、挿入ファイバ１は、突出部先端の被覆除去による裸光ファイバ３の口出しを行うことなく、突出部全長が被覆２によって覆われた被覆付き光ファイバの状態のまま、可動ガイド６２の貫通孔６３から挿入されていく。
【００３１】
図３７（ｂ）は挿入ファイバ１先端を環状刃部３１ａ後端に当接させた状態を示す。
図３７（ｂ）に示すように、光コネクタ１００の可動ガイド６２は、収容溝２６後端（より具体的にはファイバ収容領域ＦＳ後端）から後側に挿入ファイバ１が被覆除去中に座屈しない距離Ｌ１で離隔する初期位置から前進可能とされている。収容溝２６、ファイバ収容領域ＦＳの後端とは、後部ガイド部１１０後面から先細りのテーパ状に窪むテーパ状凹部１１１の前端（奥端）を意味する。
【００３２】
押圧用固定部材１２０の挿入ファイバ１に対する固定位置は、図３７（ｂ）に示すように、挿入ファイバ１先端が環状刃部３１ａ後端に当接したときに、可動ガイド６２の貫通孔６３後端から後側へ、挿入ファイバ１が被覆除去中に座屈しない距離Ｌ２で離隔した位置とする。
可動ガイド６２の貫通孔６３後端は、可動ガイド６２の後面から先細りのテーパ状に窪むテーパ状凹部６４の前端（奥端）に開口している。可動ガイド６２の貫通孔６３後端とは、可動ガイド６２の後面から先細りのテーパ状に窪むテーパ状凹部６４の前端（奥端）を意味する。
【００３３】
なお、距離Ｌ１および距離Ｌ２は、いずれも、挿入ファイバ１の後述するたわみ幅に鑑みて、挿入ファイバ１が被覆除去中に座屈しない範囲（長さ）に設定する必要がある。たわみ幅は挿入ファイバ１の材質や外径等にも依存するが、裸光ファイバに石英系光ファイバを用いた樹脂被覆径が０．２５ｍｍの一般的な被覆付き光ファイバの場合、距離Ｌ１および距離Ｌ２は、２．５ｍｍ以下あるいは２．１ｍｍ以下とすることが適切である。
また、閉じ位置にある開放ガイド５０のコネクタ前後方向における配置位置は、例えば、クランプ部２０の後蓋部材２３からその後方へ、挿入ファイバ１が被覆除去中に座屈しない範囲（長さ）の距離で離隔する位置とする。
コネクタ前後方向における開放ガイド５０の配置位置は、蓋部材移動機構の構成に依っては、閉じ位置にあるときにクランプ部２０の後蓋部材２３に当接する位置とすることも可能である。すなわち、閉じ位置から開放位置への開放ガイド５０の移動が案内ベース部５１に対する前進動を伴わない場合は、閉じ位置にある開放ガイド５０がクランプ部２０の後蓋部材２３にその後側から当接する構成を採り得る。
【００３４】
可動ガイド６２の貫通孔６３は、挿入ファイバ１を、被覆除去部材３０の被覆除去刃３１の裸光ファイバ挿通孔３３と同軸上に位置決めして、可動ガイド６２後側から後部ガイド部１１０の収容溝２６（より具体的にはファイバ収容領域ＦＳ）への挿入ファイバ１の挿入を円滑にする案内部として機能する。
【００３５】
図３７（ｂ）、（ｃ）に示すように、挿入ファイバ１の突出部を光コネクタ１００のファイバ収容領域ＦＳに挿入し、押圧用固定部材１２０を光コネクタ１００のフェルール１０に向かって前進させると、被覆除去部３１の環状刃部３１ａ後端に当接した挿入ファイバ１の前進に伴い、前記環状刃部３１ａによって挿入ファイバ１先端の被覆２が除去される。その結果、挿入ファイバ１先端に被覆２が除去された裸光ファイバ３が口出しされていく。
挿入ファイバ１先端に口出しされて被覆除去部材３０の裸光ファイバ挿通孔３４に挿入された裸光ファイバ３は、被覆除去の進行に伴い被覆除去部材３０から前側に突出され、クランプベース部２１の被覆除去部材３０前側に位置する部分に形成された調心溝２５に挿入される。調心溝２５に挿入された裸光ファイバ３は、調心溝２５によって内蔵ファイバ１２後端に対して突き合わせ接続可能に位置決め、調心される。調心溝２５としては例えばＶ溝であるが、これに限定されずＵ溝、半円溝なども採用可能である。
【００３６】
図３７（ｃ）、（ｄ）に示すように、押圧用固定部材１２０は、前進によって可動ガイド６２に当接し、可動ガイド６２をその後側から押圧しながら可動ガイド６２がその前進限界位置（図示例では案内ベース部５１後端に当接する位置）に到達（図３７（ｄ）参照）するまで前進させる。
挿入ファイバ１の突出部の押圧用固定部材１２０からの突出長は、内蔵ファイバ１２後端から、前進限界位置に位置する可動ガイド６２に当接する押圧用固定部材１２０までの離隔距離よりも若干長く設定する。したがって、図３７（ｃ）に示すように、押圧用固定部材１２０によって後側から押圧されながら前進する可動ガイド６２が前進限界位置に達する前に、被覆除去部３１によって被覆２が除去された裸光ファイバ３の内蔵ファイバ１２後端に対する突き合わせ接続が達成される。挿入ファイバ１先端の裸光ファイバ３が内蔵ファイバ１２に突き当たると、内蔵ファイバ１２によって裸光ファイバ３の前進が規制され、被覆除去部３１による挿入ファイバ１の被覆除去が停止（完了）する。
【００３７】
そして、図３７（ｄ）に示すように、挿入ファイバ１先端の裸光ファイバ３の内蔵ファイバ１２後端に対する突き当ての達成後、押圧用固定部材１２０によって押圧された可動ガイド６２のさらなる前進によって、開放ガイド５０が案内ベース部５１に対して開放して挿入ファイバ１のたわみ変形を許可する。開放ガイド５０の案内ベース部５１に対する開放（開放位置への移動）は、挿入ファイバ１先端の裸光ファイバ３の内蔵ファイバ１２後端に対する突き当ての達成後、可動ガイド６２が前進限界位置に達する前、あるいは前進限界位置に達したときに実現される。閉じ位置から移動した開放ガイド５０が開放位置に達すると、挿入ファイバ１に、収容溝２６から浮き上がるようにたわみ変形４が生じる。なお、図３７（ｄ）中、挿入ファイバ１のたわみ変形した部分（たわみ部）に符号４を付記している。
【００３８】
次いで、可動ガイド６２が前進限界位置に位置する状態を保ったまま、前蓋部材２２及び後蓋部材２３とクランプベース部２７ｃとの間に介挿されている介挿部材（図示略）を光コネクタ１００のクランプ部２０から抜き去る。これにより、クランプ部２０の第１クランプ部によって挿入ファイバ１先端の裸光ファイバ３と内蔵ファイバ１２との接続部Ｐを把持固定するとともに、第２クランプ部によって挿入ファイバ１（被覆付き光ファイバ１）を把持固定する。これにより、光ファイバケーブル５端末（挿入ファイバ１先端部）への光コネクタ１００の組み立てが完了する。
【００３９】
また、前蓋部材２２及び後蓋部材２３とクランプベース部２７ｃとの間に介挿されている介挿部材のクランプ部２０からの抜き去り後、引き留め手段を用いて、押圧用固定部材１２０のフェルール１０、後側延出片２７に対する後退を規制する引き留め作業を行っても良い。
押圧用固定部材１２０は、例えば、可動ガイド６２を前進限界位置に到達させたときの位置を保ったまま、引き留め作業によって後退を規制する。但し、押圧用固定部材１２０のフェルール１０、後側延出片２７に対する引き留め位置はこれに限定されず、例えば、挿入ファイバ１のたわみ変形４を縮小あるいは解消するべく、可動ガイド６２を前進限界位置に到達させたときの位置から若干後側にずれた位置に引き留めても良い。
【００４０】
この光コネクタ１００によれば、被覆除去部３１により被覆２を除去する間は、後側延出片２７の収容溝２６に対する閉じ位置に配置された開放ガイド５０により、挿入ファイバ１のたわみ変形４を規制することができる。このため、この光コネクタ１００は、被覆除去中の挿入ファイバ１の屈曲を抑制して、被覆２の除去に必要な強い押圧力を、確実に被覆除去部３１に伝達することができる。
【００４１】
被覆２の除去に必要な挿入ファイバ１の被覆除去部３１に対する押圧力は、非特許文献１の図１（たわみ幅と最大挿入力との関係）に記載されているように、例えば５〜６Ｎ（５００〜６００ｇ）程度とされる。
また、開放ガイド５０の存在により、挿入ファイバ１のたわみ幅が２．５ｍｍ以下あるいは２．１ｍｍ以下となり、被覆２の除去に必要な押圧力を発生することができる。
なお、上記たわみ幅とは、挿入ファイバにおける押圧力の付与されて撓む可能性がある部分の長さをいう。
【００４２】
この場合、挿入ファイバ１の被覆２を除去した裸光ファイバ３と内蔵ファイバ１２との端面同士の間には、被覆２の除去に必要な押圧力に相当する強い荷重が加わり続けることになる。
もし両光ファイバ３，１２の間に「軸ズレ」等の突き合わせ不良が生じていた場合には、クランプばね２４の付勢力によって、両光ファイバ３，１２の光軸が一致するように裸光ファイバ３を変位させることが望ましい。
【００４３】
そこで、被覆２を除去した後は、開放ガイド５０を収容溝２６に対する閉じ位置から退避させる。その結果、挿入ファイバ１自身の弾性によってたわみ変形４（たわみ部）が自発的に形成されるので、裸光ファイバ３と内蔵ファイバ１２との端面同士の間の荷重を、被覆除去部３１からの反力などを考慮した突き合わせが維持される程度の適度なレベルまで緩和することができる。
これにより、端面間の荷重を適正にしてクランプ部２０の前蓋部材２２を閉じることができ、クランプ部２０で挟み込んだ後の裸光ファイバ３と内蔵ファイバ１２との突き合わせ接続状態を良好にすることができる。その結果、光学特性の良好な光コネクタの組立が容易になる。
【００４４】
また、既述のように、この実施例の光コネクタ１００の可動ガイド６２は、収容溝２６後端（より具体的にはファイバ収容領域ＦＳ後端）から後側に挿入ファイバ１が被覆除去中に座屈しない距離Ｌ１で離隔する初期位置から前進可能である。このため、図３７（ｂ）に示すように、収容溝２６に挿入した挿入ファイバ１の先端が被覆除去刃３１に当接したときの、可動ガイド６２とその後側へ離隔する押圧用固定部材１２０との間の距離（但し可動ガイド６２の貫通孔６３後端から押圧用固定部材１２０までの距離は挿入ファイバ１が被覆除去中に座屈しない距離Ｌ２）よりも長い長さで、挿入ファイバ１先端の被覆除去長（裸光ファイバ３の口出し長）を確保できる。
【００４５】
次に、図１〜図２７に例示した実施例を参照して、本発明をより詳細に説明する。
図１に、本実施例に係る光コネクタ１００の斜視図を示す。図２に、前記光コネクタ１００の分解斜視図を示す。
なお、光コネクタ１００について、図８、図９、図１４、図１５、図１８、図１９、図２１、図２３、図２４、図２５において、左側を前、右側を後として説明する。
図１に示すように、この光コネクタ１００は、フェルール１０の後側に被覆除去部材３０（後述）等を設けて組み立てたコネクタ本体１０１をスリーブ状のハウジング１００Ｈに収納した概略構成となっている。
【００４６】
図１、図２に示すように、ハウジング１００Ｈは、フェルール１０が収容される前側ハウジング１４と、前側ハウジング１４の外周に組み付けられたカップリング１３と、前側ハウジング１４に後方から組み付けられた後側ハウジング１５とにより構成されている。
本実施例では、一例として、フェルール１０、カップリング１３及び前側ハウジング１４の基本構造は、ＳＣ形光コネクタ（ＳＣ:Single fiber Coupling、JIS C 5973に規定されるもの等）に従っている。前側ハウジング１４はＳＣ形光コネクタのプラグフレームである。
但し、ハウジングとしては、上述の構成に限定されない。ハウジングとしては、例えば上述のハウジングからカップリング１３を省略した構成のもの等も採用できる。
【００４７】
次に、コネクタ本体１０１を説明する。
本実施例のコネクタ本体１０１のフェルール１０は、例えば、ジルコニアなどのセラミックスやガラス等の硬質の材料によってキャピラリ状に形成された単心用フェルールである。このフェルール１０としては、例えば、ＳＣ形光コネクタに用いられるものや、ＭＵ形光コネクタ（ＪＩＳ  Ｃ  ５９８３に制定されるＦ１４形光コネクタ。ＭＵ:Miniature-Unit coupling optical fiber connector）に用いられるものを採用できる。
また、フェルール１０としては、その一部又は全部を合成樹脂で成形したものを採用することもできる。
【００４８】
図８、図９に示すように、前記フェルール１０には内蔵ファイバ１２が内挿固定されている。
前記内蔵ファイバ１２は、キャピラリ状の前記フェルール１０をその軸方向に貫通する微細孔に内挿され、接着剤による接着固定等によってフェルール１０に固定されている。
内蔵ファイバ１２は、その先端（前端）の端面を、前記フェルール１０先端（前端）の突き合わせ接合用の接合端面１１に揃えて設けられている。また、内蔵ファイバ１２は、フェルール１０から後側に突出された後側突出部１２ａを有する。内蔵ファイバ１２の後端（後側突出部１２ａ後端）は、フェルール１０とその後側に配置された被覆除去部材３０との間に位置する。
【００４９】
図２、図８、図９に示すように、前記コネクタ本体１０１は、前記フェルール１０の後側に、挿入ファイバ１の被覆２を除去する被覆除去部３１を形成した被覆除去部材３０と、前記被覆除去部３１により被覆２が除去された裸光ファイバ３を内蔵ファイバ１２の後端に突き合わせ接続した突き合わせ接続部を把持固定するためのクランプ部２０とを有する。
また、このコネクタ本体１０１は、図４、図９に示すように、フェルール１０先端（前端）の突き合わせ接合用の接合端面１１とは反対の後端部から後側へ延出する後側延出片２７を有する。この後側延出片２７は、フェルール１０の中心軸線（及びその延長）に沿う前後方向を長手方向とする細長形状に形成されている。前記被覆除去部材３０は、前記後側延出片２７に設けられている。
【００５０】
図２、図４に示すように、前記クランプ部２０は、前記後側延出片２７と、この後側延出片２７にコネクタ前後方向に延在形成された溝２５、２６に対向して配置された蓋部材２２、２３と、この蓋部材２２、２３を後側延出片２７に向かって閉じる方向に付勢するクランプばね２４とを有する。
クランプばね２４としては、特に限定は無いが、例えば図２、図４に示すようなスリーブ状のものを採用できる。スリーブ状のクランプばね２４としては、例えば、その断面形状（中心軸線に垂直の断面形状）がＣ字形のもの（図２、図４参照）であるが、これに限定されず、断面形状がコ字形のもの等も採用できる。本実施例のクランプ部２０は、１つのクランプばね２４の内側に、後側延出片２７と、コネクタ前後方向に配列設置した２つの蓋部材２２、２３とを収納した構成となっている。
【００５１】
前記クランプ部２０は、フェルール１０と被覆除去部材３０との間に配置された蓋部材２２（第２蓋部材。以下、前蓋部材とも言う）と後側延出片２７との間に、裸光ファイバ３と内蔵ファイバ１２との接続部Ｐを把持固定する第１クランプ部を有する。また、このクランプ部２０は、被覆除去部材３０の後側に配置された蓋部材２３（以下、後蓋部材とも言う）と後側延出片２７との間に挿入ファイバ１（被覆２が除去されていない部分。被覆部）を把持固定する第２クランプ部を有する。
後側延出片２７と蓋部材２２，２３との間には、挿入ファイバ１やその裸光ファイバ３を挿入する隙間２２ａ，２３ａ（図３７（ａ）参照）を確保する、介挿片４１が抜き去り可能に介挿されている。前記介挿片４１は組立部材４０に突設された板状突片（第１突起部）である。
なお、コネクタ本体１０１としては、互いに別体のクランプばねを用いて第１クランプ部（クランプ部）、第２クランプ部をそれぞれ組み立てた構成も採用可能である。
【００５２】
図４に示すように、前記後側延出片２７は、前記後蓋部材２３に対向する部分から後側に延在する案内ベース部５１を有している。後側延出片２７の前記案内ベース部５１から前側の部分２１を、以下、クランプベース部とも言う。このクランプベース部２１は、クランプ部２０の前蓋部材２２との間に、被覆除去部材３０によって挿入ファイバ１先端部に口出しされた裸光ファイバ３と内蔵ファイバ１２との接続部Ｐを把持固定する第２ベース部材として機能する。前記第２クランプ部は、後蓋部材２３とクランプベース２１との間に挿入ファイバ１を把持固定する。
【００５３】
前記後側延出片２７の前記被覆除去部材３０から後側に延出する部分（後側片部）には、その後側から挿入ファイバ１が挿入されるファイバ収容溝２６が、コネクタ前後方向に延在形成されている。収容溝２６としては、特に限定されるものではないが、本実施例では、単心の被覆付き光ファイバである挿入ファイバ１を被覆除去部材３０の被覆除去部３１の裸光ファイバ挿通孔３３と同軸上に位置決めすることに鑑みて、例えばＵ溝、半円溝、Ｖ溝などを採用できる。
【００５４】
図２、図４に示すように、前記コネクタ本体１０１は、クランプ部２０の蓋部材２２，２３の後方において、収容溝２６に挿入された挿入ファイバ１のたわみ変形を規制する第１蓋部材５８を有している。
この第１蓋部材５８は、被覆除去部３０により挿入ファイバ１の被覆２を除去する間、挿入ファイバ１がたわみ変形しないように、クランプ部２０の後方において挿入ファイバ１の上方へのたわみ変形を規制する開放ガイド５０と、開放ガイド５０が閉じ位置から開放位置へ退避したときに挿入ファイバ１の第１たわみ幅４ａ（図１９参照）のたわみ変形４が可能なように、所定の距離Ｇ（図１９参照。以下、間隔とも言う）を介して前後方向に互いに離隔して配される第１蓋部材５８の案内構造の他部である光ファイバ押さえ部５９を有して構成されている。
【００５５】
図１６（ｂ）に示すように、前記開放ガイド５０は細長形状の部材であり、案内ベース部５１に形成されている前記収容溝２６に対向して該収容溝２６の長手方向に沿って延在配置されている。そして、この開放ガイド５０は、前記収容溝２６にその後側から挿入されてフェルール１０に向かって前進する挿入ファイバ１を収容溝２６に押さえ込んで、該挿入ファイバ１のたわみ変形を規制する。
この開放ガイド５０は、被覆除去部材３０の被覆除去部３１により被覆２を除去する間は、図１６（ｂ）に示す閉じ位置に配置されて、挿入ファイバ１のたわみ変形を規制する。
【００５６】
コネクタ前後方向を長手方向とする細長形状の前記案内ベース部５１と前記開放ガイド５０とは、後述する拘束部付き可動ガイド６０の可動ガイド６２からフェルール１０に向かう挿入ファイバ１の前進を案内する後部ガイド部１１０（案内構造）を構成する。コネクタ本体１０１は、クランプ部２０の後側に、前記案内ベース部５１と開放ガイド５０とからなる前記後部ガイド部１１０を有している。
【００５７】
図２、図４に示すように、前記コネクタ本体１０１は、前記後部ガイド部１１０の後側に、拘束部付き可動ガイド６０を有している。この拘束部付き可動ガイド６０は、案内ベース部５１と開放ガイド５０とを収納する拘束スリーブ部６１の後端に、挿入ファイバ１を挿通可能な貫通孔６３が形成された可動ガイド６２を一体化した構成となっている。
図８、図９に示すように、拘束部付き可動ガイド６０は、後側ハウジング１５の内側に前後にスライド可能に設けられている。また、拘束部付き可動ガイド６０は、前記可動ガイド６２が前記後部ガイド部１１０から後側へ離隔して配置される初期位置（図８、図９に示す位置）に配置されており、該初期位置からフェルール１０に向かって前進可能とされている。
【００５８】
図８、図９、図１０（ａ）、（ｂ）に示すように、拘束部付き可動ガイド６０の可動ガイド６２は、前記貫通孔６３が形成された外観角形ブロック状のガイド本体６５を有する。ガイド本体６５は、その貫通孔６３の軸線に直交する断面の外周形状が概ね矩形になっている。
可動ガイド６２のガイド本体６５には、その後側から貫通孔６３への挿入ファイバ１の挿入を容易にするために、テーパ状凹部６４が形成されている。可動ガイド６２の貫通孔６３は、テーパ状凹部６４の前端（奥端）に開口する後端から前側に延在形成され、ガイド本体６５前面に開口している。前記拘束スリーブ部６１は、ガイド本体６５前面から前側へ突出されている。
【００５９】
図８、図９等に示すように、ここで例示する光コネクタ１００は、挿入ファイバ１と、可撓性を有する線状の抗張力体とを互いに並行になるように合成樹脂製の外被６によって一括被覆した光ファイバケーブル５の端末に組み立てられる。抗張力体としては、例えばアラミド繊維等の抗張力繊維からなるもの、鋼線等を挙げることができる。光ファイバケーブル５としては、インドアケーブル、ドロップケーブル等が挙げられる。挿入ファイバ１は、この光ファイバケーブル５端末に口出しした部分をコネクタ本体１０１への挿入に用いる。
【００６０】
挿入ファイバ１は、裸光ファイバ３の外周面（側面）を被覆２で覆った構成の被覆付き光ファイバであり、例えば光ファイバ心線や光ファイバ素線等が挙げられる。裸光ファイバ３は、例えば石英系光ファイバである。また、被覆２は、例えば紫外線硬化性樹脂やポリアミド樹脂などを１層または複数層、ほぼ同心円状に被覆した樹脂被覆である。
【００６１】
可動ガイド６２は、光ファイバケーブル５端末に固定した押圧用固定部材１２０と連結可能である。
図２６、図２７に示すように、押圧用固定部材１２０は、光ファイバケーブル５端末を把持して光ファイバケーブル５に固定して取り付けられる外被把持部材である。この押圧用固定部材１２０は、光ファイバケーブル５を嵌め込むケーブル嵌合溝１２２が形成された断面コ字形の把持ベース１２３と、前記把持ベース１２３のケーブル嵌合溝１２２の溝幅方向両側の側壁部１２５の一方に枢着された押さえ蓋１２７とを有する。
【００６２】
この押圧用固定部材１２０は、把持ベース１２３の一対の側壁部１２５の互いに対向する面に複数突設した把持用突起１２５ａを、ケーブル嵌合溝１２２に嵌め込まれた光ファイバケーブル５の外被６に食い込ませて、一対の側壁部１２５の間に光ファイバケーブル５を把持固定できる。把持ベース１２３は、底壁部１２６の片面側に突設された一対の側壁部１２５の間に前記ケーブル嵌合溝１２２が確保された断面コ字形の部材である。ケーブル嵌合溝１２２の溝幅方向は、該ケーブル嵌合溝１２２を介して両側の側壁部１２５の間隔方向を指す。なお、図示例の押圧用固定部材１２０の把持用突起１２５ａは、ケーブル嵌合溝１２２の深さ方向（図２７上下）に延在する断面三角形状の突条に形成されている。
そして、この押圧用固定部材１２０は、前記押さえ蓋１２７が他方の側壁部１２５から離隔する開放状態にて把持ベース１２３を光ファイバケーブル５端末に外嵌めして固定し、押さえ蓋１２７を把持ベース１２３の一対の側壁部１２５の底壁部１２６とは反対側の端部間におけるケーブル嵌合溝１２２の開口部を閉じる閉位置に回動し、該押さえ蓋１２７を他方の側壁部１２５に係止して、光ファイバケーブル５端末に取り付けられる。
【００６３】
この押圧用固定部材１２０は、把持ベース１２３のケーブル嵌合溝１２２の長手方向に沿う延在方向片端から、前記ケーブル嵌合溝１２２の仮想延長に沿って互いに並行に延出する一対の弾性係止片１２４を有する。一対の弾性係止片１２４は、前記把持ベース１２３のケーブル嵌合溝１２２の溝幅方向両側の側壁部１２５に突設されている。
【００６４】
図１、図３、図１１（ａ）、（ｂ）に示すように、コネクタ本体１０１の拘束部付き可動ガイド６０後端の可動ガイド６２は、後側ハウジング１５後端の断面コ字形（コネクタ前後方向に垂直の断面がコ字形）の押圧部材受け部１６の内側に前後移動可能に収納されている。
図１１（ａ）、（ｂ）、図１２に示すように、押圧部材受け部１６は、底板部１６ａの片面側に一対の側板部１６ｂが立設された断面コ字形に形成されている。押圧部材受け部１６の一対の側板部１６ｂの互いに対向する面には、前記押圧用固定部材１２０の一対の弾性係止片１２４が挿入される係止片案内溝１６ｃが前後方向に延在形成されている。
図９、図１１（ａ）、（ｂ）、図１２に示すように、前記押圧用固定部材１２０は、一対の弾性係止片１２４を、前記可動ガイド６２のガイド本体６５の後側から前記係止片案内溝１６ｃに挿入して押圧部材受け部１６の両側の側板部１６ｂと可動ガイド６２との間に通し、各弾性係止片１２４の先端を可動ガイド６２の前側まで送り込むことができる。そして、押圧用固定部材１２０は、図１５に示すように、一対の弾性係止片１２４先端の互いに対向する相手側の弾性係止片１２４に臨む側に突設された係止爪１２８を、可動ガイド６２のガイド本体６５前面に係合させることで可動ガイド６２に連結される。
【００６５】
なお、図９、図１０（ａ）、（ｂ）、図１２に示すように、本実施例にあっては、可動ガイド６２のガイド本体６５の、押圧部材受け部１６の一対の側板部１６ｂに対面する側面にも係止片案内溝６６が形成されている。ガイド本体６５の係止片案内溝６６は、押圧部材受け部１６の側板部１６ｂの係止片案内溝１６ｃに対面する位置に形成されている。押圧用固定部材１２０は、弾性係止片１２４を、可動ガイド６２のガイド本体６５及び押圧部材受け部１６の側板部１６ｂに形成された係止片案内溝１６ｃ、６６に挿入してガイド本体６５に係合させることができる。
【００６６】
コネクタ本体１０１は、拘束部付き可動ガイド６０の初期位置からの前進の規制と規制解除とを切り換える前進規制手段６７（図９参照）と、拘束部付き可動ガイド６０の初期位置から後側への移動を規制するガイド後退規制手段とを有している。
前進規制手段は、押圧用固定部材１２０によって後側から押圧されることで、拘束部付き可動ガイド６０の初期位置からの前進を規制した状態から前進の規制を解除した状態となる。
【００６７】
図９に示すように、図示例のコネクタ本体１０１の拘束部付き可動ガイド６０は、前記前進規制手段として、可動ガイド６２のガイド本体６５に突設された前進規制用突片６７を有している。この前進規制用突片６７は、前記ガイド本体６５の、押圧部材受け部１６の一対の側板部１６ｂに対面する両側のうちの片方から斜め前方に突出されている。図９、図１２に示すように、前進規制用突片６７の先端（前端）は、押圧部材受け部１６の一対の側板部１６ｂの片方の係止片案内溝１６ｃの溝底に形成された突片先端挿入溝１６ｄに挿入され、該突片先端挿入溝１６ｄの前端１６ｅ（図９、図１１（ａ）参照）にその後側から突き当てられている。前進規制用突片６７は、前記ガイド本体６５の、押圧部材受け部１６の一対の側板部１６ｂに対面する両側の側部のうち、突片先端挿入溝１６ｄに対面する側部から突出している。図示例の可動ガイド６２において、前記前進規制用突片６７は、突片先端挿入溝１６ｄに対面する係止片案内溝６６の溝底から突出している。
前進規制用突片６７は、前側に行くにしたがって、ガイド本体６５から離隔し、突片先端挿入溝１６ｄの溝底に接近するように、貫通孔６３の軸線に対して傾斜されている。
【００６８】
突片先端挿入溝１６ｄは、係止片案内溝１６ｃに比べて狭い溝幅で、コネクタ前後方向に延在形成されている。また、突片先端挿入溝１６ｄは、後側ハウジング１５後端部を構成する押圧部材受け部１６のみに形成されている。
拘束部付き可動ガイド６０は、突片先端挿入溝１６ｄの前端１６ｅに前進規制用突片６７先端が突き当てられて前進が規制された位置が初期位置となっている。
【００６９】
図９、図１０（ａ）、（ｂ）に示すように、拘束部付き可動ガイド６０は、後側延出片２７における閉じ位置の開放ガイド５０とは反対側の周面から突出する係止突起２７ａ（図５、図９参照）が、拘束スリーブ部６１の前端部に形成された係止用窓孔６１ｂに入り込んで、初期位置から後側への移動が規制されている。
図９に示すように、初期位置の拘束部付き可動ガイド６０は、拘束スリーブ部６１の前記係止用窓孔６１ｂ前側に位置する部分が、係止突起２７ａ前端のコネクタ前後方向に垂直に形成された前端面に当接することで初期位置から後側への移動が規制されている。
前記係止突起２７ａは、拘束部付き可動ガイド６０の初期位置から後側への移動を規制するガイド後退規制手段として機能する。
【００７０】
図１５に示すように、可動ガイド６２の前進規制用突片６７は、押圧用固定部材１２０を可動ガイド６２のガイド本体６５に連結する際に、係止片案内溝１６ｃ、６６に挿入して前進させた弾性係止片１２４先端によって押圧される。そして、弾性係止片１２４によって後側から押圧された前進規制用突片６７は、弾性係止片１２４先端の前進によって、その先端が前記突片先端挿入溝１６ｄから押圧部材受け部１６内側に移動されて、突片先端挿入溝１６ｄの前端１６ｅに対する突き当てが解除される。
前記可動ガイド６２はプラスチック製の一体成形品である。前進規制用突片６７は、押圧用固定部材１２０の弾性係止片１２４先端によって後側から押圧されたときに、該前進規制用突片６７とガイド本体６５との境界部の弾性変形により、該境界部をヒンジ部として、その先端がガイド本体６５の側面６８に接近するように貫通孔６３の軸線に対する向きが変わる。なお、図示例の可動ガイド６２の前進規制用突片６７とガイド本体６５とは、板状の前進規制用突片６７の板厚に比べて薄肉に形成された薄肉部６９をヒンジ部（境界部）としており、該薄肉部６９を介して繋がっている。
【００７１】
押圧用固定部材１２０の弾性係止片１２４の係止爪１２８を含む先端部は、係止片案内溝１６ｃ、６６の溝幅のほぼ全体に収納されるサイズに形成されており、突片先端挿入溝１６ｄには入り込まない。弾性係止片１２４は、その先端によって、前進規制用突片６７の先端からガイド本体６５近傍に位置する前進規制用突片６７根元側にずれた位置を前方に押圧して、前進規制用突片６７先端を前記突片先端挿入溝１６ｄから押圧部材受け部１６内側に向かって移動し、突片先端挿入溝１６ｄの前端１６ｅに対する前進規制用突片６７先端の突き当てを解除する。また、弾性係止片１２４は、突片先端挿入溝１６ｄの前端１６ｅに対する前進規制用突片６７先端の突き当てを解除するとともに、その先端の係止爪１２８がガイド本体６５に係合する。
拘束部付き可動ガイド６０は、突片先端挿入溝１６ｄの前端１６ｅに対する前進規制用突片６７先端の突き当てが解除されることで、初期位置から前進可能となる。
なお、光コネクタとしては、可動ガイド６２のガイド本体６５の係止片案内溝６６を省略した構成も採用可能である。
【００７２】
図９に示すように、ガイド後退規制手段として機能する前記係止突起２７ａは、コネクタ後側から前側に行くにしたがって後側延出片２７周面からの突出寸法が増大するテーパ状に形成されている。
拘束部付き可動ガイド６０の前記係止用窓孔６１ｂの後側には前後方向に延在する長孔６１ｃが形成されている。
図１５に示すように、拘束部付き可動ガイド６０は、突片先端挿入溝１６ｄの前端１６ｅに対する前進規制用突片６７先端の突き当てが解除された状態で、初期位置から前方に押圧されると、拘束スリーブ部６１における前記係止用窓孔６１ｂと長孔６１ｃとの間の部分である孔間壁部６１ｄが、拘束スリーブ部６１の若干の弾性変形によって前記係止突起２７ａを乗り越え、図１９に示すように係止突起２７ａを長孔６１ｃに収納できる。
拘束部付き可動ガイド６０は、係止突起２７ａが長孔６１ｃに入り込むと、孔間壁部６１ｄが係止突起２７ａに当接する位置から後側延出片２７に対する後側への相対的な移動が規制される。また、この光コネクタ１００では、可動ガイド６２が前進限界位置に到達したときに、係止突起２７ａが長孔６１ｃに入り込み、拘束部付き可動ガイド６０の後側延出片２７に対するコネクタ前後方向の変位が規制される。
【００７３】
拘束部付き可動ガイド６０は、詳細を後述するように、開放ガイド５０を収容溝２６に対して挿入ファイバ１のたわみ変形を規制する閉じ位置に拘束する。また、拘束部付き可動ガイド６０は、押圧用固定部材１２０の押し込みによって初期位置から前進し、開放ガイド５０を前方へと駆動して、ファイバ収容溝２６の外へ移動（閉じ位置から退避）させる機能を有する。拘束部付き可動ガイド６０の拘束スリーブ部６１は、被覆除去部材３０の被覆除去部３１による挿入ファイバ１の被覆除去中に、開放ガイド５０を案内ベース部５１から離間しないように押さえ込むとともに、開放ガイド５０が案内ベース部５１から離間する前に、押圧用固定部材１２０の前進に基づき前記押さえ込みを解除する押さえ込み部として機能する。
この拘束部付き可動ガイド６０は、前記拘束スリーブ部６１の内側に案内ベース部５１と開放ガイド５０とを収納した状態を維持したまま、前記初期位置から前進可能である。拘束部付き可動ガイド６０は、前記初期位置から前進するとき、拘束スリーブ部６１が後側延出片２７に対してスライド移動する。
【００７４】
ここで、この実施例の光コネクタの蓋部材移動機構について具体的に説明する。
図４、図５、図８、図９に示すように、開放ガイド５０がスライド移動する案内ベース部５１のスライド面５１ａには、開放ガイド５０の斜め前方への移動を案内するレール部５２が突設されている。このレール部５２は、収容溝２６側の端部から前側にいくにしたがって収容溝２６から離隔するように、収容溝２６に対して傾斜してスライド面５１ａ上に突設された突条である。
また、図示例の光コネクタにおいて、前記レール部５２は、スライド面５１ａ上に前後方向に互いに間隔を開けて複数突設されている。複数のレール部５２は、全て、収容溝２６に対する傾斜方向及び傾斜角度が同じに揃えられている。
なお、図４に示すように、図示例の光コネクタの後側延出片２７の前記スライド面５１ａは、後側延出片２７の調心溝２５及び収容溝２６が形成された溝形成面５１ｂの一部であり、収容溝２６を介して該収容溝２６の溝幅方向片側のみに形成されている。収容溝２６を介してスライド面５１ａとは反対の側には、ファイバ収容溝２６の横に突出した突条部５４と切欠部５５（後述）とが形成されている。
【００７５】
可動ガイド６２が初期位置にあるとき、開放ガイド５０は、収容溝２６に対する閉じ位置にある。図４、図５、図９に示すように、開放ガイド５０は、案内ベース部５１のスライド面５１ａに対面する対向面５０ｂに形成されたレール収納溝５０ｃに、案内ベース部５１のレール部５２を収納して、図１６（ｂ）に示すように前記対向面５０ｂをスライド面５１ａに重ね合わせて閉じ位置に配置される。
図４、図５、図８に示すように、前記レール収納溝５０ｃは、収容溝２６に対して、案内ベース部５１のレール部５２の収容溝２６に対する傾斜角度と同じ角度で傾斜して形成されている。
【００７６】
開放ガイド５０は、後側延出片２７に対して前進方向に押圧されることで、レール収納溝５０ｃの後側の内面が該レール収納溝２６に収納されているレール部５２に摺動しながら、閉じ位置から斜め前方へ移動する。
これにより、図２０に示すように、突条部５４と開放ガイド５０との間にたわみ変形４を形成する隙間５３（空間）が形成される。図１６（ｂ）に示すように、可動ガイド６２が初期位置にあるとき、開放ガイド５０は前記突条部５４に対して閉じ合わされ（重ね合わされ）ている。本実施例においては、開放ガイド５０が突条部５４に当接する位置が、開放ガイド５０の閉じ位置である。
【００７７】
図８に示すように、可動ガイド６２が初期位置にあるとき、拘束部付き可動ガイド６０は、拘束スリーブ部６１内面に、開放ガイド５０に突設された拘束用突部５０ｄ（図４、図８参照）が当接されて、開放ガイド５０を閉じ位置に拘束する。これにより、拘束スリーブ部６１は、開放ガイド５０を、収容溝２６上に挿入ファイバがたわみ変形可能な空間を形成するように移動することのない（すなわち、閉じ位置から開放位置への開放ガイド６０の移動を生じさせない）ように押さえ込む。
図４等に示すように、前記拘束用突部５０ｄは、開放ガイド５０の前記突条部５４に対面する端部とは反対の側の端部に突設されている。
【００７８】
図８、図９に示すように、開放ガイド５０の後端部５０ｅは、案内ベース部５１後端から後側に突出されている。
拘束部付き可動ガイド６０は、初期位置から前進させたとき、開放ガイド５０を案内ベース部５１に対して閉じ位置に拘束した状態を保ったまま、後側延出片２７及び開放ガイド５０に対してスライド移動した後、拘束スリーブ部６１に形成されている開放用開口部６１ｅに開放ガイド５０の拘束用突部５０ｄを収納（図１８参照）する。これにより、開放ガイド５０の案内ベース部５１に対する閉じ位置への拘束が解除される。また、拘束部付き可動ガイド６０は、開放用開口部６１ｅに開放ガイド５０の拘束用突部５０ｄを収納する位置に達したとき、あるいは該位置に達した後に、可動ガイド６２が開放ガイド５０後端の前方向への押圧を開始して前進限界位置に至る。
【００７９】
開放ガイド５０は、閉じ位置への拘束解除後の可動ガイド６２の前進に伴い、レール部５２に案内されて案内ベース部５１のスライド面５１ａに摺動しながら案内ベース部５１に対して斜め前方にスライド移動する。
そして、この光コネクタは、可動ガイド６２が後側延出片２７後端に当接すると、開放ガイド５０が挿入ファイバ１のたわみ変形を許容する位置に配置される。その結果、図２０に示すように、突条部５４と開放ガイド５０との間にたわみ変形４を形成する隙間５３が形成される。
【００８０】
この光コネクタの構成であれば、拘束部付き可動ガイド６０の前進動のみによって、拘束部付き可動ガイド６０による開放ガイド５０の閉じ位置への拘束を解除できる。この構成によれば、拘束状態と拘束解除状態との切り換えを実現するための構造が単純で、小型化も容易であるため、光コネクタの小型化に有利である。
前記レール部５２は、光ファイバ把持部の前進に基づき前記開放ガイドが前進した際に前記開放ガイドを前記ベース部材から離間させる離間構造として機能する。
なお、前記離間構造としては、レール部とレール収納溝の配置を逆にした構成、すなわち開放ガイドに突設したレール部を、案内ベース部に形成したレール収納溝に収納し、光ファイバ把持部の前進に基づき前記開放ガイドが前進した際に前記開放ガイドの斜め前方への移動を案内する構成としても良い。
【００８１】
図８、図１３に示すように、拘束部付き可動ガイド６０の拘束スリーブ部６１には、組立部材４０の光ファイバ押さえ片４２が挿通される窓６１ａが形成されている。窓６１ａは、拘束スリーブ部６１の肉厚を貫通して、該拘束スリーブ部６１の外周面及び内周面に開口する開口部である。
【００８２】
図１４、図１５に示すように、コネクタ本体１０１の前記案内ベース部５１と前記開放ガイド５０との間には、複数の光ファイバ押さえ片４２，４２が介挿されている。各光ファイバ押さえ片４２は、その先端の、光ファイバ押さえ部５９によって、収容溝２６に挿入ファイバ１を押さえ込むことができる。
複数の光ファイバ押さえ片４２，４２は、前記開放ガイド５０が閉じ位置から開放位置に移動（退避）されたときに、裸光ファイバ３と内蔵ファイバ１２との端面同士の間に突き合わせが維持される程度の荷重を残して、挿入ファイバ１のたわみ変形が可能なように、前後方向に所定の間隔Ｇ（図１９参照）を介して配される。
【００８３】
クランプ部２０は、図３に示すように、後側ハウジング１５の押圧部材受け部１６から前側部分を構成する筒状部１５ａ内に収容される。筒状部１５ａには、組立部材４０（詳しくは後述）の介挿片４１が挿入される窓１５ｂと、光ファイバ押さえ片４２が挿入される窓１５ｃが形成されている。これら窓１５ｂ、１５ｃは筒状部１５ａの肉厚を貫通して形成されている。
また、図１７、図２２、図２５に示すように、ハウジング１００Ｈには、スリーブ状のカップリング１３の肉厚及びスリーブ状の前側ハウジング１４の肉厚を貫通して、前記前側ハウジング１４に内挿嵌合されている前記筒状部１５ａの窓１５ｂに連通し、前記介挿片４１が挿入される連通孔１５ｄが形成されている。
なお、後側ハウジング１５の筒状部１５ａの、光ファイバ押さえ片４２が挿入される窓１５ｃは、カップリング１３及び前側ハウジング１４の後側に位置しており、カップリング１３及び前側ハウジング１４によって覆われることなく、筒状部１５ａの周面に開口している。
【００８４】
図４に示すように、クランプベース部２１の前蓋部材２２が重ね合わされる合わせ面には、調心機構として、裸光ファイバ３と内蔵ファイバ１２とを位置決めして調心する調心溝２５が形成されている。調心溝２５はフェルール１０の微細孔の軸線（軸線のフェルール後側への仮想延長）に沿ってクランプベース部２１の長手方向に延びている。調心溝２５の断面形状は、例えばＶ溝であるが、Ｕ溝、丸溝（断面半円形の溝）などであってもよい。調心溝２５は、接続される裸光ファイバ３と内蔵ファイバ１２との対ごとに（心数分：ここでは１本）設けられる。
【００８５】
また、図２、図３に示すように、この光コネクタ１００は、フェルール１０をコネクタ前側へ弾性付勢して、他の光コネクタとの突き合わせ接続時の突き当て力を与えるスプリング１８を有する。
このスプリング１８は、具体的にはコイルスプリングであり、フェルール１０後端部の外周に突設されたフランジ部１０ｂの後側にてコネクタ本体１０１に外挿され、前記フランジ部１０ｂと後側ハウジング１５前端との間に介挿されている。
フェルール１０は、このスプリング１８によってコネクタ前側に弾性付勢されて、前記フランジ部１０ｂが、ハウジング１００Ｈ（具体的には前側ハウジング１４内側）の前端部内側に突設されているストッパ壁部１４ａにその後側から当接する前側移動限界位置に配置されている。コネクタ本体１０１は、フェルール１０にその前方から後方への押圧力（押し込み力）を作用させたときに、スプリング１８を押し縮めながら、ハウジング１００Ｈに対してコネクタ後側へ押し込み可能である。
【００８６】
収容溝２６は、調心溝２５の延長上に設けられている。このファイバ収容溝２６は、クランプベース部２１の後蓋部材２３が重ね合わされる部分に形成されているとともに、該部分からさらに後方に延在している。ファイバ収容溝２６は、挿入ファイバ１の先端部を収納し、かつ、後蓋部材２３がクランプばね２４でクランプされたときに、挿入ファイバ１をしっかりとクランプ固定できる形状になっている。
挿入ファイバ１をファイバ収容溝２６に沿ってクランプ部２０に挿入すると、ファイバ収容溝２６を経て被覆除去部材３０に誘導される。図３７（ｂ）に示すように、被覆除去部材３０の被覆除去部３１により被覆２を除去して、裸光ファイバ３を内蔵ファイバ１２と突き合わせることができる。
【００８７】
図６（ａ）〜（ｃ）は、図３７（ａ）〜（ｄ）に例示した被覆除去部材３０の具体例を示す。この被覆除去部材３０は、図６（ｂ）、（ｃ）において左側を前、右側を後とするように光コネクタ１００内に配置されている。
図６（ａ）〜（ｃ）に示すように、被覆除去部材３０は、前方側に裸光ファイバ挿通孔３３を、後方側に被覆付き光ファイバ挿通孔３４を有する。裸光ファイバ挿通孔３３及び被覆付き光ファイバ挿通孔３４は、コネクタ前後方向に沿って同軸上に形成された円形孔である。裸光ファイバ挿通孔３３と被覆付き光ファイバ挿通孔３４との間には、裸光ファイバ挿通孔３３及び被覆付き光ファイバ挿通孔３４の軸線に交差する方向に被覆除去部材３０を貫通する窓孔３２が形成されている。被覆除去部３１（被覆除去刃）は、被覆除去部材３０の窓孔３２を形成する前後方向の壁部のうちの裸光ファイバ挿通孔３３の形成されている側の壁部に形成されている。
【００８８】
被覆除去部材３０は、例えば金属等の硬質材料や樹脂からなるボディ３０ａに、裸光ファイバ挿通孔３３、被覆付き光ファイバ挿通孔３４、窓孔３２、被覆除去刃３１が形成された構成となっている。また、被覆除去部材３０（詳細にはそのボディ３０ａ）は、外観矩形板状に形成されている。この被覆除去部材３０のボディ３０ａは、より具体的には長方形板状に形成されており、被覆除去部材３０は前記ボディ３０ａの長手方向をコネクタ前後方向に揃えて前記クランプベース部２１に取り付けられている。
前記窓孔３２は前記ボディ３０ａの板厚を貫通する貫通孔となっている。裸光ファイバ挿通孔３３及び被覆付き光ファイバ挿通孔３４は、窓孔３２の軸線に直交する方向の軸線を以て形成されている。前記ボディ３０ａは、前記裸光ファイバ挿通孔３３の前端が開口する前端面３５ａと、被覆付き光ファイバ挿通孔３４の後端が開口する後端面３５ｂとを有する。前記前端面３５ａは前記ボディ３０ａの４面の外周面のうちの１面である。前記後端面３５ｂは前記ボディ３０ａの４面の外周面のうち、前記前端面３５ａとは反対側に位置する１面である。
【００８９】
図示例の被覆除去部材３０の被覆除去刃３１は、裸光ファイバ挿通孔３３が貫通するテーパ円筒状の既述の環状刃部３１ａと、この環状刃部３１ａの外周面からその軸線に垂直の方向（環状刃部３１ａの径方向）に突出する板状刃部３１ｂを有する。
環状刃部３１ａは、被覆除去部材３０の前後方向において、裸光ファイバ挿通孔３３が形成されている側の壁部（前壁部）から後側に向かって窓孔３２内に突出する筒形の突起状に形成されている。環状刃部３１ａは、前記前壁部の前記窓孔３２に臨む面（窓孔前側内壁面３２ａ）から後側に突出している。この環状刃部３１ａは、その外周面が、前端側から後側に行くに従って先細りのテーパ円筒状に形成されている。裸光ファイバ挿通孔３３は、環状刃部３１ａ及び前壁部を貫通しており、その前端が被覆除去部材３０のボディ３０ａ前端面３５ａに開口している。この裸光ファイバ挿通孔３３には、被覆除去によって挿入ファイバ１先端に口出しされた裸光ファイバ３が挿入される。また、裸光ファイバ挿通孔３３は、前記裸光ファイバ３をクランプ部２０の調心溝２５へ案内する微細孔である。
【００９０】
図示例の被覆除去部材３０において、前記板状刃部３１ｂは、窓孔３２の形成方向（窓孔３２の軸線方向）に垂直の板状に形成されている。また、図示例の被覆除去部材３０において、前記板状刃部３１ｂは、環状刃部３１ａからその径方向両側に張り出している。
【００９１】
図示例の被覆除去部材３０において、前記板状刃部３１ｂは、環状刃部３１ａと、窓孔３２を挟んでボディ３０ａ幅方向両側に位置する壁部３６（以下、横壁部とも言う）とを橋絡している。窓孔３２の両側の横壁部３６は、環状刃部３１ａを介して両側に該環状刃部３１ａから離隔して位置する。
【００９２】
図示例の被覆除去部材３０のボディ３０ａは金属や樹脂製の一体成形品であり、前記板状刃部３１ｂは、被覆除去部材３０の横壁部３６及び環状刃部３１ａと一体に形成されている。この板状刃部３１ｂは、環状刃部３１ａの窓孔前側内壁面３２ａからの突出寸法全体にわたって、環状刃部３１ａと横壁部３６との間に形成されている。
なお、被覆除去部材３０のボディ３０ａは必ずしも一体成形品である必要は無く、複数部材によって組み立てた構成のものであっても良い。
【００９３】
また、図６（ｃ）に示すように、前記板状刃部３１ｂは、窓孔前側内壁面３２ａから後側へ向かって板厚が次第に縮小するテーパ状（テーパ板状）に形成されている。図示例の板状刃部３１ｂは、その後端の刃先の稜線が、環状刃部３１ａ後端（後端の稜線）から環状刃部３１ａの軸線に垂直に真っ直ぐに延在形成されている。環状刃部３１ａを介して両側の板状刃部３１ｂ後端の稜線は、環状刃部３１ａの軸線に垂直の同一直線上に位置している。
板状刃部３１ｂの板厚方向両側の面間の刃先角度θは、例えば２０〜４０度に設定できる。但し、この刃先角度θは、被覆付き光ファイバ挿通孔３４から被覆除去部材３０に対して前方へ向かって押し込む挿入ファイバ１の押し込み力（作業者の手作業による押し込み力）等に鑑みて、被覆除去を実現できる角度であれば良く、２０〜４０度の範囲に限定されるものでは無い。
【００９４】
図３７（ａ）及び図３７（ｂ）に示すように、この光コネクタ１００は、収容溝２６に挿入した挿入ファイバ１を該光コネクタ１００に対してその前方に向かって前進させると、挿入ファイバ１先端が被覆付き光ファイバ挿通孔３４に挿入される。図６（ａ）〜（ｃ）に示すように、被覆付き光ファイバ挿通孔３４は、コネクタ前後方向の軸線に沿って真っ直ぐに延在形成されている。この被覆付き光ファイバ挿通孔３４は、被覆除去部材３０において窓孔３２から後側の後壁部を前後方向に貫通している。被覆付き光ファイバ挿通孔３４の前端は、前記後壁部の窓孔３２に臨む面、すなわち窓孔３２の窓孔前側内壁面３２ａに対面する窓孔後側内壁面３２ｂに開口している。被覆付き光ファイバ挿通孔３４は、挿入ファイバ１を環状刃部３１ａの軸線上に真っ直ぐに延在する状態に位置決めすることができる。
【００９５】
挿入ファイバ１は、光コネクタ１００に対する前進によって、被覆付き光ファイバ挿通孔３４から前側へ突出させた先端を被覆除去刃３１に押圧する（図３７（ｂ）参照）ことができる。そして、挿入ファイバ１は、その先端が被覆除去刃３１に向けて押圧されることにより、被覆２が除去されて、裸光ファイバ３が裸光ファイバ挿通孔３３に挿入される。
このとき、被覆除去刃３１は、裸光ファイバ３と被覆２との間に環状刃部３１ａが差し込まれることにより、被覆２を裸光ファイバ３から容易に剥離することができる。また、被覆除去刃３１は、裸光ファイバ３の周囲の被覆２を板状刃部３１ｂで２つに分断することにより、裸光ファイバ３から分離された不要な被覆２の、環状刃部３１ａからの分離、除去を円滑に進行させることができる。
【００９６】
環状刃部３１ａ後端の円形の稜線（刃先）の径は、挿入ファイバ１の裸光ファイバ３外径と同等、あるいは裸光ファイバ３外径に比べて僅かに径大とされる。環状刃部３１ａ後端の稜線（刃先）の径は、例えば、挿入光ファイバ１の裸光ファイバ３外径に、挿入ファイバ１の被覆２の肉厚（被覆厚）の半分以下、あるいは３分の１以下の寸法を加えた大きさとすることができる。
また、裸光ファイバ挿通孔３３後端部の入口（ファイバ入口）を、後側に行くほど径（内径）が大きくなる末広がりのテーパ状に形成し、環状刃部３１ａ後端の円形の刃先の径を、前記ファイバ入口の前側の内径に比べて僅かに径大としても良い。
【００９７】
被覆付き光ファイバ挿通孔３４後端の入口（ファイバ入口）には、外から内へ向けて径が縮小するテーパ穴３４ａが設けられている。被覆付き光ファイバ１の先端がテーパ穴３４ａに案内されることにより、被覆付き光ファイバ挿通孔３４への差込みがより確実になる。
また、裸光ファイバ挿通孔３３の前端の出口には、内から外へ向けて径が拡大するテーパ穴３３ａが設けられている。裸光ファイバ３が裸光ファイバ挿通孔３３から出る方向に若干の余裕があることにより、裸光ファイバ挿通孔３３から調心溝２５へ裸光ファイバ３を円滑に誘導することができる。
【００９８】
被覆除去部材３０の板状刃部３１ｂは、その後端の刃先の稜線が、環状刃部３１ａ後端の稜線から環状刃部３１ａの軸線に垂直に真っ直ぐに延在する構成（図６（ａ）〜（ｃ）参照）に限定されない。板状刃部３１ｂとしては、その後端の刃先の稜線が、環状刃部３１ａ後端の稜線から僅かに前側にずれた位置にて、環状刃部３１ａの軸線に垂直に真っ直ぐに延在する構成も採用可能である。但し、この場合の板状刃部３１ｂ後端の刃先（稜線）は、環状刃部３１ａによって裸光ファイバ３から円筒状に剥離された被覆２を２つに分断して、環状刃部３１ａ外周からの被覆２の分離、除去を円滑に進行させる点で、コネクタ前後方向における位置が環状刃部３１ａ後端に接近した位置であることが好ましい。
また、板状刃部３１ｂは、環状刃部３１ａ後端からコネクタ前後方向前側へ行くにしたがって、その刃先の環状刃部３１ａ外周面からの距離が増大する形状としても良い。
【００９９】
図６（ａ）〜（ｃ）、図２８に示すように、被覆付き光ファイバ挿通孔３４の前端部には、挿入ファイバ１を、被覆付き光ファイバ挿通孔３４及び裸光ファイバ挿通孔３３の軸線上に高精度に位置決めするための突部３７が突設されている。この突部３７を、以下、位置決め用突部とも言う。
図６（ａ）〜（ｃ）に例示した被覆除去部材３０において、位置決め用突部３７は、被覆付き光ファイバ挿通孔３４の内周面３４ｂの周方向に均等の４箇所に突設されている。
【０１００】
位置決め用突部３７は、その後端から前側に行くにしたがって、被覆付き光ファイバ挿通孔内周面３４ｂからの突出寸法が次第に増大するテーパ状（スロープ状）に形成されている。
被覆付き光ファイバ挿通孔３４の前端部内周面３４ｂの周方向の４箇所に突設された位置決め用突部３７は、挿入ファイバ１外周（被覆２外周）に当接して挿入ファイバ１を環状刃部３１ａ後端の刃先の軸線と同軸に高精度に位置決めする。
なお、図示例の被覆除去部材３０にあっては、環状刃部３１ａ後端の刃先の軸線と、裸光ファイバ挿通孔３３の軸線とは、互いに一致されている。
【０１０１】
前記位置決め用突部３７は、被覆付き光ファイバ挿通孔内周面３４ｂの周方向に均等の３以上の箇所に突設されていれば良く、被覆付き光ファイバ挿通孔内周面３４ｂの周方向の４箇所に均等配置した構成に限定されない。
被覆付き光ファイバ挿通孔３４の前端部内周面３４ｂに突設された３以上の位置決め用突部３７は、挿入ファイバ１外周（被覆２外周）に当接して挿入ファイバ１を環状刃部３１ａ後端の刃先の軸線と同軸に高精度に位置決めする。
被覆付き光ファイバ挿通孔３４前端部にて挿入ファイバ１を環状刃部３１ａ後端の刃先の軸線に対して高精度に位置決めすることは、被覆除去に要する挿入ファイバ１の被覆除去刃３１に対する押圧力（コネクタ後側からの押し込み力）の低減、除去ムラの発生抑制等に有効に寄与する。
【０１０２】
被覆付き光ファイバ挿通孔３４は、その内径が挿入ファイバ１外径に比べて僅かに大きい丸孔である。被覆付き光ファイバ挿通孔３４は、挿入ファイバ１として外径が２５０μｍのものを使用する場合に、挿入ファイバ１外径に比べて例えば１０〜２０μｍ程度大きい内径で形成できる。
【０１０３】
光ファイバ素線等の被覆付き光ファイバには、厳密には、径（外径）にばらつきが存在する。この外径のばらつきは、標準的な外径（本明細書においては、標準外径とも言う）に対する分布として把握できる。被覆付き光ファイバ挿通孔３４では、挿入ファイバ１の標準外径に比べて大きい内径が採用されることで、ばらつきの範囲内で標準外径に比べて大きい挿入ファイバの挿入が可能となっている。
なお、本明細書において、特に断らない場合は、挿入ファイバ１の径（外径）とは標準外径を指す。
【０１０４】
各位置決め用突部３７には、その後端から前側に行くにしたがって被覆付き光ファイバ挿通孔３４の軸線に次第に接近する傾斜面（一例として図２８〜図３２の傾斜面３７１ａを参照）、あるいは稜線（一例として図３３の稜線３７２ａを参照）であるファイバ当接案内部３７ａが延在形成されている。
位置決め用突部３７は、ファイバ当接案内部３７ａ前端に、被覆付き光ファイバ挿通孔内周面３４ｂからの突出寸法が最大の最大突出部３７ｂを有する。ファイバ当接案内部３７ａ前端の最大突出部３７ｂは、換言すれば、位置決め用突部３７において、被覆付き光ファイバ挿通孔３４の軸線からの距離が最短の部位である。
【０１０５】
また、位置決め用突部３７の前記最大突出部３７ｂから後側の部分は、その前後方向に垂直の断面における、被覆付き光ファイバ挿通孔３４の軸線３４Ｐからの距離が最短の部位が前記ファイバ当接案内部３７ａに存在する。前記ファイバ当接案内部３７ａには、その前後方向全体にわたって、前後方向に垂直の断面における被覆付き光ファイバ挿通孔３４の軸線からの距離が最短の部位が連続して存在している。
なお、ファイバ当接案内部３７ａについて、被覆付き光ファイバ挿通孔３４の軸線からの距離とは、被覆付き光ファイバ挿通孔３４の軸線に垂直の断面における被覆付き光ファイバ挿通孔３４の軸線からの距離を指す。
【０１０６】
位置決め用突部３７の傾斜面としては、例えば、被覆付き光ファイバ挿通孔３４の軸線に対して６０度以下あるいは４５度以下の傾斜角度を以て傾斜する平坦面（以下、傾斜平坦面とも言う）を挙げることができる。また、傾斜面としては、例えば、その全長あるいはほぼ全長を、その延在方向に垂直の断面が円弧をなす凹曲面（以下、凹曲傾斜面とも言う。）としたものも採用可能である。以下、この傾斜面を、溝案内形傾斜面とも言う（一例として図２８〜図３２の傾斜面３７１ａ（溝案内形傾斜面）を参照）。
溝案内形傾斜面の凹曲傾斜面は、例えば図２８〜図３０に例示する凹溝３７１ｄのように、位置決め用突部３７に凹溝を形成する。
【０１０７】
図６（ａ）〜（ｃ）に例示した被覆除去部材３０の位置決め用突部３７は、具体的には、ファイバ当接案内部３７ａとして溝案内形傾斜面３７１ａを形成した位置決め用突部３７の一例である。この位置決め用突部３７に図中符号３７１を付記する。
ここで、図２８〜図３２を参照して、前記位置決め用突部３７１、及び該位置決め用突部３７１を形成した被覆除去部材３０について説明する。
なお、図６（ａ）〜（ｃ）においては、位置決め用突部３７１の被覆付き光ファイバ挿通孔内周面３４ｂからの突出寸法を図２８〜図３２に比べて誇張して大きく図示している。
【０１０８】
図２８〜図３２に例示した位置決め用突部３７１の溝案内形傾斜面３７１ａは、その後端から前側へ行くにしたがって被覆付き光ファイバ挿通孔３４の軸線３４Ｐに接近するとともに湾曲半径が次第に大きくなる凹曲傾斜面３７１ｅを有する。また、溝案内形傾斜面３７１ａは、凹曲傾斜面３７１ｅの前側に、該凹曲傾斜面３７１ｅが形成する凹溝３７１ｄの溝幅方向に延在する直線状に形成された前端（直線部３７１ｆ）を有する。
位置決め用突部３７１の最大突出部３７ｂ（後述）は前記直線部３７１ｆに存在する。図２８、図２９に示すように、位置決め用突部３７１は、その前端を、被覆除去部材３０の窓孔後側内壁面３２ｂに一致させて形成されている。前記直線部３７１ｆは、位置決め用突部３７１の前端に位置しており、窓孔後側内壁面３２ｂと溝案内形傾斜面３７１ａとの境界線を形成している。
【０１０９】
図２８〜図３０に示すように、図示例の位置決め用突部３７１の溝案内形傾斜面３７１ａの後端は、凹曲傾斜面３７１ｅ後端によって形成されている。凹曲傾斜面３７１ｅ後端は、溝案内形傾斜面３７１ａ後端と被覆付き光ファイバ挿通孔内周面３４ｂとの間の段差の発生を回避するべく、被覆付き光ファイバ挿通孔内周面３４ｂと一致する湾曲半径を以て湾曲する曲線３７１ｇとされている。前記曲線３７１ｇは、溝案内形傾斜面３７１ａ後端部と被覆付き光ファイバ挿通孔内周面３４ｂとの境界線となっている。この構成は、被覆付き光ファイバ挿通孔３４にその後側から挿入して前進させる挿入ファイバ１の先端の位置決め用突部３７（詳細には溝案内形傾斜面３７１ａ）への乗り上げを円滑にする点で有利である。
【０１１０】
図２８〜図３０に示すように、凹曲傾斜面３７１ｅの、その後端の前記曲線３７１ｇから前側の部分は、前後方向に垂直の断面において前記軸線３４Ｐからの距離に比べて大きい湾曲半径を以て緩やかに湾曲する凹曲面となっている。
凹曲傾斜面３７１ｅは、位置決め用突部３７の、被覆付き光ファイバ挿通孔３４の軸線３４Ｐに臨む側に、前後方向に垂直の断面において円弧状に窪む溝底面を有する凹溝３７１ｄを形成する。この凹溝３７１ｄは凹曲傾斜面３７１ｅを溝底面とするものである。また、この凹溝３７１ｄは、凹曲傾斜面３７１ｅが形成する溝底面のうち、前後方向に垂直の断面において前記軸線３４Ｐからの距離が最短の部位を溝底とするものである。
この凹溝３７１ｄには、その延在方向全長にわたって、前後方向に垂直の断面における前記軸線３４Ｐからの距離が最短の部位が連続して線状をなす線状主案内部３７１ｃが存在する。凹溝３７１ｄは、その延在方向全長にわたって、前記線状主案内部３７１ｃを溝底とする構成となっている。
【０１１１】
図２８〜図３０に示すように、溝案内形傾斜面３７１ａの凹曲傾斜面３７１ｅは、その後端から前側に行くにしたがって、前記線状主案内部３７１ｃの被覆付き光ファイバ挿通孔３４の軸線３４Ｐからの距離が短くなるように形成されている。位置決め用突部３７１は、線状主案内部３７１ｃ前端が、被覆付き光ファイバ挿通孔３４軸線からの距離が最短（被覆付き光ファイバ挿通孔内周面３４ｂからの突出寸法が最大）の最大突出点３７１ｂとなっている。この最大突出点３７１ｂは位置決め用突部３７１における最大突出部３７ｂとして機能する。
また、図示例の位置決め用突部３７１において、前記最大突出点３７１ｂは、凹曲傾斜面３７１ｅ前端の直線部３７１ｆと線状主案内部３７１ｃとの交点に位置する。この点、前記溝案内形傾斜面３７１ａは、実質的に、その延在方向全長にわたって延在する前記線状主案内部３７１ｃが、該溝案内形傾斜面３７１ａの後端から前側に行くにしたがって被覆付き光ファイバ挿通孔３４の軸線３４Ｐに次第に接近する構成となっている。
【０１１２】
図２８〜図３２に示すように、図示例の位置決め用突部３７１は、溝案内形傾斜面３７１ａの凹曲傾斜面３７１ｅの湾曲半径の調整によって、前記凹溝３７１ｄがその延在方向全長にわたって一定溝幅で延在する構成となっている。位置決め用突部３７１の凹溝３７１ｄの溝幅方向両側には、凹曲傾斜面３７１ｅと被覆付き光ファイバ挿通孔内周面３４ｂとの境界線３７１ｈが、被覆付き光ファイバ挿通孔３４の軸線３４Ｐに平行に延在している。
溝案内形傾斜面３７１ａ前端の直線部３７１ｆは、凹溝３７１ｄの溝幅方向に一致する向きで、凹溝３７１ｄの溝幅方向両側の境界線３７１ｈ間の距離に一致する長さに形成されている。
【０１１３】
なお、位置決め用突部の溝案内形傾斜面としては、例えば、その前端を含む延在方向全長を、後端から前側へ行くにしたがって湾曲半径が増大する凹曲傾斜面とした構成も採用可能である。また、溝案内形傾斜面としては、延在方向全長を後端から前側へ行くにしたがって湾曲半径が次第に小さくなる凹曲傾斜面とした構成も採用可能である。
但し、この実施形態にて説明する凹曲傾斜面は、その前端においても被覆付き光ファイバ挿通孔の軸線からの距離に比べて同等以上の湾曲半径を確保する。また、この凹曲傾斜面は、その延在方向の全長、あるいは被覆付き光ファイバ挿通孔内周面３４ｂと湾曲半径を一致させた後端を除く全体が、前後方向に垂直の断面において、被覆付き光ファイバ挿通孔３４の軸線からの距離に比べて大きい湾曲半径を以て緩やかに湾曲する構成とする。
この凹曲傾斜面は、その延在方向全長にわたって、位置決め用突部に線状主案内部を溝底とする凹溝を形成する。また、この凹曲傾斜面を形成した位置決め用突部は、線状主案内部前端を最大突出点（最大突出部）とする構成とする。
【０１１４】
位置決め用突部に形成する既述の傾斜平坦面も、その延在方向に沿って、被覆付き光ファイバ挿通孔３４の軸線からの距離が最短の部位が連続してなる線状主案内部が存在する構成である。この傾斜平坦面を形成した位置決め用突部は、線状主案内部前端を最大突出点（最大突出部）とする構成とする。
【０１１５】
図３３に示す位置決め用突部３７（図３３中、符号３７２を付記する）は、前後方向に垂直の断面形状が三角形状で、被覆付き光ファイバ挿通孔３４の前端部内周面３４ｂにコネクタ前後方向に延在させて突設した突起である。この位置決め用突部３７２は、その後端から前側へ行くにしたがって、被覆付き光ファイバ挿通孔３４の軸線に接近（被覆付き光ファイバ挿通孔内周面３４ｂからの突出寸法が増大）するテーパ状に形成されている。また、この位置決め用突部３７２には、ファイバ当接案内部３７ａとして、位置決め用突部３７２後端から前側に行くにしたがって被覆付き光ファイバ挿通孔３４の軸線に接近する稜線３７２ａが形成されている。
【０１１６】
前記稜線３７２ａは、位置決め用突部３７２の前後方向に垂直の断面における被覆付き光ファイバ挿通孔３４の軸線からの距離が最短の部位が、前後方向に連続して線状になったもの（線状主案内部）である。
この位置決め用突部３７２は、稜線３７２ａ前端を、被覆付き光ファイバ挿通孔３４の軸線からの距離が最短（被覆付き光ファイバ挿通孔内周面３４ｂからの突出寸法が最大）の最大突出点３７２ｂ（頂点）としている。この位置決め用突部３７２においては、稜線３７２ａ前端の最大突出点３７２ｂが最大突出部３７ｂとして機能する。
【０１１７】
図３３、図３４に例示する位置決め用突部３７２は、被覆付き光ファイバ挿通孔３４の軸線に垂直の断面形状が、稜線３７２ｂを頂点とする二等辺三角形をなしている。この位置決め用突部３７２の、前後方向に垂直の断面は、被覆付き光ファイバ挿通孔３４の軸線３４Ｐに垂直で前記稜線３７２ｂを通る仮想直線を介して両側が対称の形状、すなわち前記仮想直線を中心とする線対称の形状となっている。
この位置決め用突部３７２の稜線３７２ｂと被覆付き光ファイバ挿通孔内周面３４ｂとの間に延在する両側の斜面３７２ｃは、被覆付き光ファイバ挿通孔３４の軸線及び前記稜線３７２ｂと重なる仮想平面を介して両側に同様の形状、寸法で形成されている。
【０１１８】
ここで説明する実施形態において、被覆付き光ファイバ挿通孔内周面３４ｂに突設した３以上の位置決め用突部３７は、その後端からファイバ当接案内部３７ａ前端までの部分の形状及び寸法、さらに該部分の被覆付き光ファイバ挿通孔３４の内周面３４ｂにおける前後方向の形成位置が互いに同じに揃えられている。したがって、各位置決め用突部３７のファイバ当接案内部３７ａの線状主案内部は、被覆付き光ファイバ挿通孔３４の軸線を中心とし後側から前側に行くにしたがって次第に径が縮小する仮想テーパ円筒面に重なる位置にある。
【０１１９】
各位置決め用突部３７の最大突出部（最大突出点）は、被覆付き光ファイバ挿通孔３４の軸線３４Ｐを中心（軸線３４Ｐと同軸）とする同一の仮想円周に重なる位置にある。但し、各位置決め用突部３７の最大突出部の被覆付き光ファイバ挿通孔３４の軸線からの距離は、挿入ファイバ１の半径（外径の半分）に比べて僅かに小さくする。すなわち、各位置決め用突部３７の最大突出部（最大突出点）は、被覆付き光ファイバ挿通孔３４の軸線と同軸で、挿入ファイバ１外径に比べて僅かに径が小さい仮想円周に重なる位置にある。
各位置決め用突部３７の最大突出部が重なる仮想円周（以下、最大突出部仮想円周とも言う）の径は、挿入ファイバ１（被覆付き光ファイバ）として裸光ファイバ３外径が１２５μｍ、被覆外径（標準外径）が２５０μｍのものを使用する場合に、挿入ファイバ１外径に比べて例えば５〜１０μｍ程度小さくする。
最大突出部仮想円周の一例について、図３１に符号Ｃ１、図３４に符号Ｃ２を付記して図示した。
【０１２０】
コネクタ前後方向における位置決め用突部３７の後端から最大突出部までの延在寸法（前後方向延在長）は、例えば０．１〜０．３ｍｍとすることができる。但し、前記前後方向延在寸法は上述の範囲に限定されず、適宜設定し得る。
位置決め用突部３７のファイバ当接案内部３７ａは、位置決めコネクタ３７における前記前後方向延在寸法の範囲に形成される。
【０１２１】
被覆除去部材の被覆付き光ファイバ挿通孔３４にその後側から挿入してコネクタ前方へ向かって前進させた挿入ファイバ１の先端は、位置決め用突部３７のファイバ当接案内部３７ａに案内されながら、位置決め用突部３７が突設されている被覆付き光ファイバ挿通孔３４前端部を通過して、被覆除去刃３１に押圧される。挿入ファイバ１の先端は、挿入光ファイバ１の被覆付き光ファイバ挿通孔３４前端部内に位置する部分の位置決め用突部３７との当接によって、被覆除去刃３１後端の刃先の軸線に高精度に位置決めされた状態で、被覆除去刃３１に押圧される。
位置決め用突部３７のファイバ当接案内部３７ａは、位置決め用突部３７の後端から前側へ行くにしたがって被覆付き光ファイバ挿通孔３４の軸線３４Ｐに次第に接近するように前記軸線３４Ｐに対して傾斜している。このため、各位置決め用突部３７のファイバ当接案内部３７ａは、被覆付き光ファイバ挿通孔３４後端から前進させた挿入ファイバ１の先端を、被覆付き光ファイバ挿通孔３４前端部の位置決め用突部３７の最大突出部（最大突出点）が位置する領域へ円滑に案内できる。
【０１２２】
既述のように、最大突出部仮想円周の径は、挿入ファイバ１外径に比べて僅かに径小である。このため、被覆付き光ファイバ挿通孔３４前端部内側に挿入した挿入ファイバ１は、その被覆２外周を、被覆付き光ファイバ挿通孔３４前端部の内周面３４ｂに突設されている各位置決め用突部３７の最大突出点に確実に押圧できる。
また、被覆付き光ファイバ挿通孔３４前端部内側に挿入された挿入ファイバ１は、その周方向に均等の３以上の箇所が、被覆付き光ファイバ挿通孔３４前端部内側の位置決め用突部３７に押圧される。被覆付き光ファイバ挿通孔３４前端部の周方向に均等の３以上の箇所に突設された位置決め用突部３７は、挿入ファイバ１を被覆付き光ファイバ挿通孔３４の軸線及び環状刃部３１ａ後端の刃先の軸線と同軸に高精度に位置決めできる。
【０１２３】
図３３に例示した位置決め用突部３７２は、図３４に示すように、被覆付き光ファイバ挿通孔３４前端部内側に挿入された挿入ファイバ１の被覆２外周が押圧された最大突出点３７２ｂ（最大突出部）が、挿入ファイバ１の被覆２外周部を局所的に弾性変形させる。これにより、各位置決め用突部３７２の最大突出点３７２に、挿入ファイバ１の被覆２外周が確実に当接される。その結果、被覆除去部材３０は、被覆付き光ファイバ挿通孔３４前端部の周方向に均等の３以上の箇所に突設された位置決め用突部３７２によって、挿入ファイバ１を被覆付き光ファイバ挿通孔３４の軸線及び環状刃部３１ａ後端の刃先の軸線と同軸に高精度に位置決めできる。
【０１２４】
また、挿入ファイバ１の被覆２外周部の、位置決め用突部３７２の最大突出点３７２ｂに押圧されて局所的に弾性変形された箇所以外の部分は、被覆付き光ファイバ挿通孔３４周方向に互いに離隔して突設されている位置決め用突部３７２間に確保されている空間に入り込む。これにより、挿入ファイバ１の被覆２外周部のうち、位置決め用突部３７２の最大突出点３７２ｂに押圧された箇所以外の部分が、位置決め用突部３７２の最大突出点３７２ｂによる挿入ファイバ１の位置決め精度に影響を与えることを抑えることができる。また、前記空間が確保されていることにより、挿入ファイバ１の被覆２外周部の位置決め用突部３７２に押圧された部位の変形が円滑になされ、位置決め用突部３７２への押圧による挿入ファイバ１の位置決め精度に影響を与えることを抑えることができる。その結果、環状刃部３１ａ後端の刃先の軸線に対する挿入ファイバ１の位置決め精度を安定に確保できる。
【０１２５】
一方、図２８〜図３２に示すように、位置決め用突部３７として例えば溝案内形傾斜面３７１ａ等の傾斜面を形成した位置決め用突部を採用した構成の場合は、被覆付き光ファイバ挿通孔３４前端部に挿入された挿入ファイバ１の被覆２外周が、傾斜面前端の最大突出点に押圧される結果、挿入ファイバ１を環状刃部３１ａ後端の刃先の軸線に対して高精度に位置決めできる。
溝案内形傾斜面３７１ａの前端は、最大突出点（最大突出部）から、該溝案内形傾斜面３７１ａの延在方向に直交する幅方向へ離隔するにしたがって、被覆付き光ファイバ挿通孔３４の軸線３４Ｐからの距離が増大する構造になっている。なお、溝案内形傾斜面３７１ａの幅方向は、該溝案内形傾斜面３７１ａ凹曲傾斜面が形成する凹溝の溝幅方向と一致する。
このため、挿入ファイバ１の被覆２外周部のうち、位置決め用突部の最大突出点（最大突出部）に押圧された箇所以外の部分が、位置決め用突部３７の最大突出点３７ｂによる挿入ファイバ１の位置決め精度に影響を与えることを抑えることができ、挿入ファイバ１の位置決め精度を安定に確保できる。
また、ファイバ当接案内部として傾斜面を形成した位置決め用突部３７は、該傾斜面に被覆付き光ファイバ挿通孔３４内を前進する挿入ファイバ１が接触しても、挿入ファイバ１の被覆２を傷めにくい（傷付き等を生じにくい）といった利点がある。
【０１２６】
図７に示すように、組立部材４０は、クランプベース部２１と蓋部材２２，２３との間に隙間２２ａ，２３ａを確保する楔状の介挿片４１，４１を有する。また、組立部材４０においては、上述した複数の光ファイバ押さえ片４２，４２が、介挿片４１，４１と並列して形成された突起部（第２突起部、第３突起部）であることができる。これにより、光コネクタの組立後に不要となる光ファイバ押さえ片４２，４２を組立部材４０に一体化して、廃棄物の個数を減少することができ、作業性が向上する。
なお、光ファイバ押さえ片４２，４２を組立部材４０とは別体で構成できることは言うまでもない。
【０１２７】
図１４に示すように、クランプベース部２１及び蓋部材２２，２３が重ね合わされる合わせ面の一側縁部には、クランプベース部２１と蓋部材２２，２３との間に隙間２２ａ，２３ａ（図３７（ａ）参照）を確保する介挿片４１，４１が挿入されている。図１７に、クランプベース部２１と前蓋部材２２との間の隙間２２ａが介挿片４１によって確保されている様子を示す。介挿片４１，４１を抜くと、クランプベース部２１と蓋部材２２，２３との間を閉じて、クランプばね２４のクランプ力によって閉じた状態とすることができる。
なお、光コネクタ１００は、組立部材４０の介挿片４１をクランプ部２０に予め挿入しておくことにより、組立部材４０をコネクタ本体１０１に取り付けた状態（組立部材付き光コネクタの状態）で、販売、携帯等を行うことが可能である。この場合、配線現場における作業時に、光コネクタに合った楔を用意したり、介挿片４１をクランプ部２０に割り入れたりする手間が省略できる。
【０１２８】
本実施例の光コネクタ１００の組立方法は、まず、図２６に示すように、先端側に挿入ファイバ１となる被覆付き光ファイバを露出させた光ファイバケーブル５に、押圧用固定部材１２０（把持部材）を取り付けたものを用意する。
そして、図１４及び図１５に示すように、挿入ファイバ１に取り付けた押圧用固定部材１２０を、光コネクタ１００のハウジング１００Ｈの後側ハウジング１５後端の押圧部材受け部１６に向かってその後側から前進させる。これにより、図１に示すように押圧用固定部材１２０の前側（弾性係止片１２４が突出している側）に突出させた挿入ファイバ１の突出部を、可動ガイド６２の貫通孔６３から収容溝２６に挿入していく。そして、押圧用固定部材１２０の前進の継続によって、挿入ファイバ１の先端が被覆除去部材３０に到達して被覆２を除去（除去を開始）し、裸光ファイバ３を内蔵ファイバ１２に突き合わせることができる。
また、押圧用固定部材１２０は、前進によって、後側ハウジング１５後端の押圧部材受け部１６に押し込むことで、コネクタ本体１０１後部の拘束部付き可動ガイド６０後端の可動ガイド６２に連結できる。
【０１２９】
挿入ファイバ１は、開放ガイド５０と収容溝２６溝底との間隔方向において開放ガイド５０と収容溝２６内面との間に確保されたファイバ収容領域ＦＳに、可動ガイド６２の貫通孔６３から挿入される。
開放ガイド５０は、挿入ファイバ１をファイバ収容溝２６に強く押し付けて案内ベース部５１に固定するのではなく、挿入ファイバ１の案内ベース部５１に対するコネクタ前後方向への円滑な相対移動を可能として押さえ込み挿入ファイバ１のたわみ変形を規制する。
また、開放ガイド５０は、挿入ファイバ１をファイバ収容溝２６に押さえ込むことで、挿入ファイバ１を、被覆除去部３１の裸光ファイバ挿通孔３３の中心軸線上に位置決めする機能を果たす。
【０１３０】
図１６（ｂ）、図２０に示すように、閉じ位置にある開放ガイド５０の、収容溝２６に対向する部分には、収容溝２６に沿って延在する延在凹所５０ａが形成されている。本実施例に係るコネクタ本体１０１のファイバ収容領域ＦＳは、後側延出片２７の収容溝２６と前記開放ガイド５０の延在凹所５０ａとによって構成されている。
【０１３１】
図１に示すように、この光コネクタ１００は、後側ハウジング１５後端の押圧部材受け部１６に押し込む押圧用固定部材１２０を案内するための案内レール１３０を着脱可能に取り付けることができる。
案内レール１３０は、細長形状のレール部１３１の長手方向片端の取付部１３２を、光コネクタ１００のハウジング１００Ｈの後端部（具体的には押圧部材受け部１６）に取り付けることで、レール部１３１を押圧部材受け部１６の底板部１６ａの後側に該底板部１６ａを延長する如く配置した状態に取り付けられる。図１、図２に示すように、図示例の案内レール１３０の前記取付部１３２は、光コネクタ１００の押圧部材受け部１６の底板部１６ａにその下側から当接される当接板１３３に突設された一対の弾性係合爪１３４の突端の突爪１３５を、押圧部材受け部１６における一対の側板部１６ｂの互いに対面する内面側とは反対の外面側に突設されたレール係合壁１６ｆ（図２、図１１（ａ）、（ｂ）参照）の上端に係合させることで、前記当接板１３３を押圧部材受け部１６の底板部１６ａに押し付けて押圧部材受け部１６にしっかりと固定して取り付けられる。
なお、取付部１３２としては、光コネクタ１００のハウジング１００Ｈ後端部に案内レール１３０を着脱可能に取り付け可能な構成であれば良く、図示例の構造に限定されない。
【０１３２】
案内レール１３０は、光コネクタ１００に取り付けたときに、押圧用固定部材１２０が載置されるレール部１３１上の押圧部材ガイド面１３６が、光コネクタ１００の押圧部材受け部１６の前記底板部１６ａ上面（図１〜図３において底板部１６ａ上側の面）の後側に連続する位置に配置される。光コネクタ１００に案内レール１３０を取り付けた場合、押圧用固定部材１２０は、レール部１３１の押圧部材ガイド面１３６上にて光コネクタ１００の押圧部材受け部１６の後側に離隔した位置からスライド移動させて前進させることで、押圧部材ガイド面１３２から前記底板部１６ａ上面上に移動させて押圧部材受け部１６内側に押し込むことができる。
このとき、押圧用固定部材１２０は、挿入ファイバ１自体の剛性によって該押圧用固定部材１２０からその前側に真っ直ぐに突出する突出部が光コネクタ１００の可動ガイド６２の貫通孔６３の中心軸線に沿う向きで該貫通孔６３の後方延長上にある状態のまま、案内レール１３０のレール部１３１上を前進させることができる。その結果、押圧用固定部材１２０の前進によって、挿入ファイバ１の突出部を可動ガイド６２の貫通孔６３から収容溝２６に挿入していく作業を円滑に行うことができ、挿入途中での突出部の座屈を防止に有効に寄与する。
【０１３３】
なお、押圧部材受け部１６に取り付けた案内レール１３０は、前記取付部１３２の弾性係合爪１３４を弾性変形させて前記突爪１３５の押圧部材受け部１６のレール係合壁１６ｆ上端に対する係合を解除することで、光コネクタ１００から取り外すことができる。押圧部材受け部１６に取り付けた案内レール１３０は、押圧用固定部材１２０が光コネクタ１００の押圧部材受け部１６に入り込み、押圧用固定部材１２０の案内が不要となれば、適宜のタイミングで光コネクタ１００から取り外す。
また、光コネクタ１００の押圧部材受け部１６への押圧用固定部材１２０の押し込みは、必ずしも案内レール１３０を使用して行う必要は無く、案内レール１３０を使用しないで行っても良い。
【０１３４】
図３７（ｂ）等を参照して説明したように、光コネクタ１００の拘束部付き可動ガイド６０の可動ガイド６２は、収容溝２６後端（より具体的にはファイバ収容領域ＦＳ後端）から後側に挿入ファイバ１が被覆除去中に座屈しない距離Ｌ１で離隔する初期位置から前進可能とされている。挿入ファイバ１の突出部の突出長は、挿入ファイバ１先端が被覆除去部３１後端に当接したときに、押圧用固定部材１２０を、可動ガイド６２の貫通孔６３後端から後側へ挿入ファイバ１が被覆除去中に座屈しない距離Ｌ２で離隔させて配置できる長さとする。
【０１３５】
この実施例では、押圧用固定部材１２０の前進によって可動ガイド６２を前進限界位置に到達させる。挿入ファイバ１の突出部の長さ（突出長）は、可動ガイド６２を前進限界位置に移動したときの押圧用固定部材１２０から内蔵ファイバ１２後端までの距離（詳細には光ファイバ支持部１２９から内蔵ファイバ１２後端までの距離）よりも長く設定する。これにより、被覆除去部材３０によって被覆２が除去された裸光ファイバ３が内蔵ファイバ１２後端に突き当たった後に、開放ガイド５０の移動による収容溝２６の開放（挿入ファイバ１のたわみ変形４を形成する隙間５３の確保）が完了し、挿入ファイバ１のたわみ変形が許可される。
【０１３６】
挿入ファイバ１の突出部の長さは、例えば、押圧用固定部材１２０によって押圧されながら前進する可動ガイド６２が開放ガイド５０後端（後端突出部５０ａ）にその後側から当接したときの、押圧用固定部材１２０から内蔵ファイバ１２後端までの距離（詳細には光ファイバ支持部１２９から内蔵ファイバ１２後端までの距離）と同じに設定できる。この場合は、被覆２が除去された裸光ファイバ３が内蔵ファイバ１２後端に突き当たったときに、押圧用固定部材１２０によって押圧されながら前進する可動ガイド６２が開放ガイド５０後端（後端突出部５０ａ）にその後側から当接して開放ガイド５０の押圧を開始する。
また、挿入ファイバ１の突出部の長さは、押圧用固定部材１２０によって押圧されながら前進する可動ガイド６２が開放ガイド５０後端（後端突出部５０ａ）にその後側から当接したときの、押圧用固定部材１２０から内蔵ファイバ１２後端までの距離（詳細には光ファイバ支持部１２９から内蔵ファイバ１２後端までの距離）に比べて若干長く設定することも可能である。この場合は、被覆２が除去された裸光ファイバ３が内蔵ファイバ１２後端に突き当たった後に、押圧用固定部材１２０によって押圧されながら前進する可動ガイド６２が開放ガイド５０後端（後端突出部５０ａ）にその後側から当接する。
【０１３７】
また、挿入ファイバ１の突出部の長さは、挿入ファイバ１の材質や外径等に鑑みて、押圧用固定部材１２０の前進によって可動ガイド６２を前進限界位置に到達させたときに、突き合わせ状態の裸光ファイバ３と内蔵ファイバ１２との間に所期の突き合わせ力（突き当て力）を確保できる大きさのたわみ変形を形成できる長さに設定する。
【０１３８】
また、図８、図２６等に示すように、この実施例において、挿入ファイバ１の突出部は、押圧用固定部材１２０前側に設けられている先細りのテーパ状の前側ファイバ支持部１２９から突出する部分を指す。挿入ファイバ１先端が被覆除去刃３１に当接したときの可動ガイド６２の貫通孔６３後端と押圧用固定部材１２０との間の距離Ｌ１は、可動ガイド６２の貫通孔６３後端と前側ファイバ支持部１２９前端との間を距離を指す。
前記前側ファイバ支持部１２９は、可動ガイド６２後側のテーパ状凹部６４内面に面接触可能なテーパ状の外周面を有する。押圧用固定部材１２０は、可動ガイド６２に連結したとき、可動ガイド６２のテーパ状凹部６４に収納された前側ファイバ支持部１２９外周面がテーパ状凹部６４に面接触する。
【０１３９】
図２７に示すように、前側ファイバ支持部１２９は、一対の支持部半体１２９ａ、１２９ｂからなる半割り構造となっている。この前側ファイバ支持部１２９は、把持ベース１２３前端に突設された支持部半体１２９ａに、押さえ蓋１２７前端に突設された支持部半体１２９ｂを閉じ合わせて、把持ベース１２３の支持部半体１２９ａに前後方向に延在形成されたファイバ溝１２９ｃに配置した挿入ファイバ１を、押さえ蓋１２７の支持部半体１２９ｂによってファイバ溝１２９ｃに押さえ込む。
【０１４０】
図１５は、図３７（ｃ）に対応する同じ時点、すなわち、被覆除去された裸光ファイバ３の先端が内蔵ファイバ１２後端に突き当たった時点であり、ファイバ収容溝２６上の閉じ位置に開放ガイド５０が存在して、開放ガイド５０が、挿入ファイバ１のたわみ変形を規制する状態を示している。被覆除去刃３１による挿入ファイバ１の被覆除去中は、図１６（ａ）、（ｂ）に示すように、挿入ファイバ１の長手方向に沿って、光ファイバ押さえ片４２と開放ガイド５０とが交互に存在し、両者が挿入ファイバ１にかぶさることで、挿入ファイバ１のたわみ変形を規制することができる。
【０１４１】
図１４、図１５に示すように、開放ガイド５０では、突条部５４に対面する部分（以下、押さえ側部）に、挿入ファイバ１にかぶさる部分（ガイド側ファイバ押さえ部５０ｆ）が形成されている。光ファイバ押さえ片４２先端の光ファイバ押さえ部５９は、開放ガイド５０のコネクタ前後方向に延在する前記押さえ側部に切り欠き状に形成された押さえ部収容凹所５０ｇに収容されている。
【０１４２】
後側延出片２７の溝形成面５１ｂに突設されて収容溝２６に沿って延在する前記突条部５４には、その前後方向２箇所に、光ファイバ押さえ片４２を挿通可能な切欠部５５が形成されている。開放ガイド５０の押さえ部収容凹所５０ｇは、突条部５４の２箇所の切欠部５５に対応して、前記押さえ側部の前後方向に互いに離隔した２箇所に形成されている。図８、図１４に示すように、光ファイバ押さえ片４２は、後側ハウジング１５の窓１５ｃと、拘束部付き可動ガイド６０の拘束スリーブ部６１の窓６１ａと、前記切欠部５５とを貫通して設けられている。後側ハウジング１５の窓１５ｃ、及び拘束部付き可動ガイド６０の拘束スリーブ部６１の窓６１ａは、前記突条部５４の２つの切欠部５５に対応する位置に２つずつ形成されている。
【０１４３】
図示例の光コネクタには、開放ガイド５０の２箇所の押さえ部収容凹所５０ｇ及び２つの切欠部５５に対応して２つの光ファイバ押さえ片４２が設けられている。この光コネクタ１００は、開放ガイド５０が閉じ位置にあるとき、図８、図９、図１４、図１５に示すように、各押さえ部収容凹所５０ｇに収容された光ファイバ押さえ部５９と、開放ガイド５０の押さえ側部の押さえ部収容凹所５０ｇが形成されていない部分であるガイド側ファイバ押さえ部５０ｆとが前後方向（収容溝２６長手方向）において交互に配置された状態が保たれる。
【０１４４】
この光コネクタは、ファイバ収容溝２６に対する閉じ位置に開放ガイド５０が存在することにより、開放ガイド５０の前端とクランプ部２０の後蓋部材２３との間の隙間５６や、収容溝２６後端と可動ガイド６２との間の隙間５７（収容溝２６後端と可動ガイド６２の貫通孔６３前端との間の距離）が、光ファイバ１の座屈のない間隔（例えば２．１ｍｍ以下）に制限されている。
【０１４５】
図１８及び図１９は、図３７（ｄ）に対応する時点、すなわち、被覆２の除去が完了した後、開放ガイド５０による挿入ファイバ１のたわみ規制を解除した状態を示す。
図２０に示すように、本実施例においては、開放ガイド５０がファイバ収容溝２６の横へ移動することにより、ファイバ収容溝２６の上方（後側延出片２７の溝形成面５１ｂに対して垂直に収容溝２６から離間する方向）に挿入ファイバ１がたわみ変形４を形成する隙間５３が確保される。
図４に示すように、開放ガイド５０に対する案内ベース部５１は、挿入ファイバ１の長手方向において光ファイバ押さえ片４２を有しない範囲では、ファイバ収容溝２６の横に突出した突条部５４を有し、たわみ変形４を形成する隙間５３は、突条部５４と開放ガイド５０との間に形成される。
【０１４６】
たわみ変形４した後における裸光ファイバ３と内蔵ファイバ１２との端面同士の間に作用する荷重は、被覆除去部から被覆への反力やクランプばね２４の付勢力の強さ等にも依存して、適宜変更可能であるが、例えば０．３Ｎ〜１Ｎ（３０ｇ〜１００ｇ）の範囲内であることができる。
複数の光ファイバ押さえ片４２，４２の間隔Ｇ（第１たわみ幅）は、挿入ファイバ１の材質や外径等にも依存するが、一般的な樹脂被覆径が０．２５ｍｍの石英系光ファイバの場合、５〜１０ｍｍ程度が挙げられる。挿入ファイバ１の端面に加わる押圧力に対して、どの程度の間隔Ｇでたわみ変形４が発生するかは、挿入ファイバ１の材質や外径等に依存して決まる弾性率などのパラメータに応じて推定することもできる。また、実験的に好適な間隔Ｇを決定することもできる。
【０１４７】
なお、前後方向に互いに離隔して配置された光ファイバ押さえ片４２、４２のうち前側（クランプ部２０に近い側）の光ファイバ押さえ片４２とクランプ部２０の後蓋部材２３との間隔Ｈ（図１９参照）は、光ファイバ押さえ片４２，４２の間隔Ｇより小さいので、間隔Ｈには光ファイバの座屈やたわみは発生しない。また、後側のファイバ押さえ片４２と可動ガイド６２の貫通孔６３前端との間の離隔距離も、前後の光ファイバ押さえ片４２、４２の間隔Ｇよりも小さいため、光ファイバの座屈やたわみは発生しない。すなわち、クランプ部２０の後蓋部材２３と可動ガイド６２の貫通孔６３前端との間において、前後の光ファイバ押さえ片４２、４２間のみに光ファイバの撓みが発生する。
収容溝２６を有する案内ベース部５１は、クランプ部２０のクランプベース部２１と一体化されていると、収容溝２６が途切れることなく形成することができるので、好ましい。
【０１４８】
図２１は、クランプベース部２１と蓋部材２２，２３とにより、挿入ファイバ１及び内蔵ファイバ１２を挟み込んで、突き合わせ接続を維持した状態を示す。図７に示すように、組立部材４０は、光ファイバ押さえ片４２、４２を組立部材ベース部材４５（以下、単にベース部材４５という）に突設した主ユニット部４０Ａと、ベース部材４５から延出された突起支持部４３に介挿片４１を突設した可動ユニット部４０Ｂとを有する。各光ファイバ押さえ片４２の突端には光ファイバ押さえ部５９が設けられている。
また、前記主ユニット部４０Ａは、前記ベース部材４５から延出され前記突起支持部４３の両側に配置された一対の弾性操作片４４，４４を有する。そして、この組立部材４０は、図２２に示すように、弾性操作片４４，４４を互いに接近させる方向に操作することにより、突起支持部４３のベース部材４５側の端部に形成された薄肉部４６が弾性変形して、可動ユニット部４０Ｂをクランプ部２０から遠ざかる方向へと変位させることができる。これにより、別の工具を用意することなく、組立部材４０に一体に設けられた弾性操作片４４の操作によって介挿片４１の抜き出しを実施することができる。
【０１４９】
すなわち、突起支持部４３の弾性操作片４４に臨む両側には、該突起支持部４３の前記介挿片４１が突設されている突起側からその反対の裏面側に行くにしたがって弾性操作片４４側に張り出す傾斜面４３ａが形成されている。したがって、互いに接近させた一対の弾性操作片４４，４４によって突起支持部４３を両側から押圧することで、可動ユニット部４０Ｂをクランプ部２０から遠ざかる方向へと変位させることができる。
また、図示例の組立部材４０の弾性操作片４４は、突起支持部４３の傾斜面４３ａに対面する部分が、該傾斜面４３ａに平行に延在する傾斜面４４ａとされており、突起支持部４３を押圧するときに、傾斜面４３ａ、４４ａ同士の当接によって、可動ユニット部４０Ｂをクランプ部２０から遠ざかる方向へと確実に変位させることができる。
【０１５０】
図示例の組立部材４０は、プラスチック製の一体成形品である。図示例の組立部材４０の前記突起支持部４３は、平板状のベース部材４５に垂直の板状に形成されている。前記薄肉部４６は、ベース部材４５側の端部に形成された溝４７によって、突起支持部４３が局所的に薄肉とされた部位を指す。
突起支持部４３は、細長板状の前記ベース部材４５の長手方向片端から該ベース部材４５の長手方向の仮想延長に沿って延出している。介挿片４１及び光ファイバ押さえ片４２は、突起支持部４３とベース部材４５とが構成する細長形状の部材本体の長手方向の複数箇所から互いに同じ方向に突出している。
【０１５１】
また、この組立部材４０は、互いに接近させた一対の弾性操作片４４，４４によって突起支持部４３を両側から押圧したときに、突起支持部４３のベース部材４５側の端部に形成された薄肉部４６がヒンジ部となって突起支持部４３がベース部材４５に対して傾動し、可動ユニット部４０Ｂをクランプ部２０から遠ざかる方向へと変位させることができる。
その結果、この組立部材４０は、裸光ファイバ３及び内蔵ファイバ１２を挟み込む前蓋部材２２が閉じた後、若干の時間差を経て、被覆光ファイバ１を挟み込む後蓋部材２３を閉じることができる。これにより、裸光ファイバ３及び内蔵ファイバ１２の突き合わせ接続をより良好にすることができる。
弾性操作片４４の操作は、片手で「つまむ」といった簡単な操作であり、作業性に優れる。
【０１５２】
図２３及び図２４は、挿入ファイバ１の固定後、光ファイバ押さえ片４２，４２を収容溝２６の上から外した状態を示す。これにより、ファイバ収容溝２６に収容された挿入ファイバ１に、曲げ半径Ｒ＝１０ｍｍ程度の大きな（緩やかに湾曲する）たわみ変形７が形成されるので、挿入ファイバ１のたわみによる損失を低減することができる。このときのたわみ変形７は、光コネクタにおけるクランプ部２０（具体的には挿入ファイバ１を把持固定した第２クランプ部の後蓋部材２３）と可動ガイド６２との間の離隔距離をたわみ幅（第２たわみ幅７ａ）とする湾曲（曲げ）変形である。光ファイバ押さえ片４２，４２を収容溝２６の上から外したときには、光ファイバ押さえ片４２，４２の間隔Ｇ（第１たわみ幅４ａ）に比べて格段に大きいたわみ幅を以て、挿入ファイバ１の曲げ変形を緩やかにすることができる。
以上の手順により、本実施例の光コネクタ１００を組み立てることができる。
【０１５３】
なお、既述のように、たわみ幅とは、挿入ファイバにおける押圧力の付与されて撓む可能性がある部分の長さをいう。
図１９、図２４等の図示例では、第１たわみ幅４ａは間隔Ｇと同じであり、第２たわみ幅７ａは、クランプ部２０の後蓋部材２３と可動ガイド６２（詳細には貫通孔６３前端）との間の離隔距離と同じである。
【０１５４】
図１、図３に示すように、図示例の光コネクタ１００は、押圧用固定部材１２０の引き留め手段として、後側ハウジング１５に枢着された引き留めカバー１７を有している。図１、図１１（ａ）、（ｂ）に示すように、この引き留めカバー１７は、後側ハウジング１５後端部の押圧部材受け部１６に収納された押圧用固定部材１２０に上（図１、図３、図１１（ａ）、（ｂ）において上側）から被せるカバー板１７ｄの両側に細長形状の回動アーム１７ｅが互いに平行に設けられた構成のカバー本体１７Ｈを有している。この引き留めカバー１７は、一対の回動アーム１７ｅの前記カバー板１７ｄから突出された先端を、回転軸１７ａ（図３参照）によって、後側ハウジング１５に該後側ハウジング１５の左右方向（押圧部材受け部１６の一対の側板部１６ｂの間隔方向）の回転軸線を以て回動可能に枢着してハウジング１００Ｈに設けられている。
【０１５５】
この引き留めカバー１７は、前記回転軸１７ａを中心に回動させることで、前記カバー板１７ｄを、押圧部材受け部１６に収納された押圧用固定部材１２０上に被せることができる（図２３、図２４参照）。このときの押圧部材受け部１６に対する位置を被せ位置とも言う。また、この引き留めカバー１７は、押圧部材受け部１６に対して被せ位置に配置したときに、カバー板１７ｄが押圧部材受け部１６の底板部１６ａに沿う向きとなる。また、引き留めカバー１７は、カバー板１７ｄの、被せ位置に配置したときに押圧部材受け部１６の底板部１６ａに対面する側（以下、裏面側とも言う）にリブ状に張り出す一対の回動アーム１７ｅの間に、押圧部材受け部１６の底板部１６ａから突出する一対の側板部１６ｂの突端部（上端部）を収納する。
【０１５６】
図１等に示すように、この引き留めカバー１７のカバー本体１７Ｈには、押圧部材受け部１６との係合によって、引き留めカバー１７を被せ位置に配置した状態を保つラッチ１７ｆが突設されている。図１１（ａ）、（ｂ）に示すように、図示例の光コネクタ１００の押圧部材受け部１６は、一対の側板部１６ｂの後端部下側に、押圧部材受け部１６の左右両側の側面から窪む係合凹所１６ｇを有している。引き留めカバー１７は、カバー本体１７Ｈの、前記押圧部材受け部１６の左右方向に一致する左右方向両側から裏面側に突出されている前記ラッチ１７ｆの先端の突爪１７ｇを、押圧部材受け部１６の左右両側から前記係合凹所１６ｇに入り込ませて押圧部材受け部１６に係合させることで押圧部材受け部１６に対する開放が規制され、被せ位置に配置された状態を安定に保てる。
【０１５７】
図２３、図２４に示すように、引き留めカバー１７は、前記被せ位置に配置したときに、カバー本体１７Ｈの回転軸１７ａとは反対側の端部から裏面側に突設されている後退規制片１７ｂを、押圧用固定部材１２０の後側に配置できる。
後退規制片１７ｂは、押圧用固定部材１２０から後方に延出する光ファイバケーブル５を避けて、押圧部材受け部１６の左右方向に一致する押圧用固定部材１２０の左右両側の壁部の後側に配置される。また、この後退規制片１７ｂは、図３に示すようにコネクタ本体１０１のフェルール１０後端部のフランジ部１０ｂがハウジング１００Ｈ前端部内側のストッパ壁部１４ａにその後側から当接しているとき（すなわち、コネクタ本体１０１がハウジング１００Ｈに対する前側移動限界位置にあるとき）に、押圧用固定部材１２０から後方に離隔した位置に配置される。
コネクタ本体１０１がハウジング１００Ｈに対する前側移動限界位置にあるときの後退規制片１７ｂの押圧用固定部材１２０から後方への離隔距離は、例えば、コネクタ本体１０１のハウジング１００Ｈに対する前側移動限界位置から後側への可動距離（ハウジング１００Ｈ後側への押し込み可能量）と同じか、それよりも短く設定する。これにより、押圧用固定部材１２０が後退規制片１７ｂに当接する位置を、ハウジング１００Ｈに対するコネクタ本体１０１の後側移動限界位置とする。
【０１５８】
さらに、図２４に示すように、前記引き留めカバー１７は、前記被せ位置に配置したときに、可動ガイド６２のガイド本体６５に係合している押圧用固定部材１２０の弾性係止片１２４と、該弾性係止片１２４を介してガイド本体６５とは反対側の押圧部材受け部１６の側壁部１６ｂとの間の隙間に挿入されて、弾性係止片１２４の前記ガイド本体６５に対する係合解除を防止する係合ロック片１７ｃを有している。この係合ロック片１７ｃは、カバー本体１７Ｈの左右両側から裏面側に突出されており、前記隙間に挿入されることで、前記ガイド本体６５から離隔する方向への弾性係止片１２４の弾性変形を防ぎ、前記ガイド本体６５に対する弾性係止片１２４の係合状態を安定に保つ。
【０１５９】
なお、引き留めカバー１７を被せ位置に配置するのは、押圧用固定部材１２０の前進によって可動ガイド６２を前進限界位置に到達させた後であれば、いつでも可能である。
【０１６０】
被覆除去部材の被覆除去刃の板状刃部は、図６（ａ）〜（ｃ）に例示した構成に限定されない。
例えば図３５（ａ）〜（ｃ）に示す被覆除去部材３０（図中符号３０Ａを付記する）は、図６（ａ）〜（ｃ）に例示した被覆除去部材３０について板状刃部の構成を変更したものである。この被覆除去部材３０Ａの被覆除去刃３１（図中符号３１Ａを付記する）の板状刃部に図中３１ｃを付記する。この被覆除去部材３０Ａの被覆除去刃３１Ａの板状刃部３１ｃは、図６（ａ）〜（ｃ）に例示した被覆除去部材３０の板状刃部３１ｂの環状刃部３１ａ外周からの突出寸法を小さくし、その延在方向（前後方向）ほぼ全長にわたって横壁部３６から離隔させた構成となっている。環状刃部３１ａ外周面から突出する板状刃部３１ｃの突端と横壁部３６との間にはクリアランスが確保されている。
前記板状刃部３１ｃは、環状刃部３１ａ外周に該環状刃部３１ａの軸線方向（前後方向）全長にわたって、環状刃部３１ａ外周面からの突出寸法一定で延在突出するリブ状の突片とされている。
【０１６１】
図示例の被覆除去部材３０Ａの板状刃部３１ｃは、窓孔前側内壁面３２ａ付近に位置する前端部のみが横壁部３６と繋がって（一体に形成されている）いる。この板状刃部３１ｃは、該前端部を除く延在方向のほぼ全長が横壁部３６から離隔している。
なお、被覆除去刃３１Ａとしては、板状刃部３１ｃの延在方向全長が横壁部３６から離隔する構成としても良い。
【０１６２】
この被覆除去部材３０Ａは、環状刃部３１ａによって挿入ファイバ１の裸光ファイバ３から円筒状に剥離され板状刃部３１ｃによって２つに分断された被覆２が、板状刃部３１ｃと横壁部３６との間に確保されたクリアランスを移動できる。このため、この被覆除去部材３０Ａは、板状刃部３１ｃによって分断された被覆２の環状刃部３１ａ付近からの移動を円滑にでき、分断された被覆２が環状刃部３１ａ付近に滞留することを防ぐことができる。
【０１６３】
一方、図６（ａ）〜（ｃ）に例示した被覆除去部材３０の板状刃部３１ｂは、既述のように被覆除去部材３０の横壁部３６と環状刃部３１ａとに一体に形成されている。この板状刃部３１ｂは、環状刃部３１ａ外周面から突出する突端の前後方向全体が横壁部３６と一体化されている構成となっている。
この板状刃部３１ｂは、かかる構成により、被覆除去刃３１にその後方から押圧される挿入ファイバ１の押圧力に対する機械的強度を容易に確保できるといった利点がある。このように、板状刃部３１ｂの機械的強度を確保しやすい構成は、特に、板状刃部３１ｂの板厚の縮小、換言すれば図６（ｃ）に示す刃先角度θの縮小に有利である。
【０１６４】
被覆除去部材の被覆除去刃は、環状刃部３１ａの径方向両側にひとつづつ、計２つの板状刃部を突設した構成に限定されない。環状刃部３１ａ外周に突設する板状刃部は３以上であっても良い。
被覆除去刃としては、例えば図３６（ａ）に示すように、環状刃部３１ａ外周の３箇所に板状刃部３１ｃを突設した構成や、図３６（ｂ）に示すように、環状刃部３１ａ外周の４箇所に板状刃部３１ｃを突設した構成も採用可能である。
なお、図示例では、環状刃部３１ａの軸線方向全長にわたって該環状刃部３１ａ外周からリブ状に突出する板状刃部３１ｃを採用した構成を例示したが、この板状刃部３１ｃを、適宜、横壁部３６と環状刃部３１ａとを橋絡する構成の板状刃部３１ｂに変更しても良い。
【０１６５】
被覆除去刃において複数の板状刃部は、環状刃部３１ａ外周の周方向に均等配置する。
板状刃部が２つの場合は、既述のように、板状刃部を環状刃部３１ａの径方向両側にひとつづつ配置する。３以上の板状刃部は、環状刃部３１ａ外周の周方向に均等配置する。複数の板状刃部を環状刃部３１ａ外周の周方向に均等配置した構成であれば、被覆除去部材の被覆除去刃に向かって挿入ファイバ１を前進、押圧して挿入ファイバ１先端の被覆除去を行う際に、挿入ファイバ１周方向（外周方向）において被覆除去を均等に進行させることができる。
【０１６６】
板状刃部は、環状刃部３１ａ後端からコネクタ前後方向前側へ行くにしたがって、環状刃部３１ａ外周面からの突出寸法が増大する形状としても良い。この場合も、板状刃部は、その前端側から後端側へ行くにしたがって板厚が次第に小さくなるテーパ状（テーパ板状）に形成される。この板状刃部は、環状刃部３１ａとは反対の突端側の、該板状刃部の後端から窓孔前側内壁面３２ａ付近までの範囲あるいは全長が刃先（稜線）とされた構成とする。
【０１６７】
以上、本発明を最良の形態に基づいて説明してきたが、本発明は上述の最良の形態に限定されるものではなく、本発明の要旨を逸脱しない範囲で種々の改変が可能である。
例えば光コネクタの具体的構成は、本発明の技術的思想に適合する限り、なんら限定されるものではない。光コネクタを組み立てる具体的手順も、光コネクタの具体的構成に応じて改変可能である。
【０１６８】
本発明に係る実施形態の光コネクタとしては、内蔵ファイバを内挿固定したフェルールの後方に、前記内蔵ファイバと突き合わせるための後方から挿入された挿入ファイバの被覆を除去する被覆除去部材（本発明に係る被覆除去部材）を備えるものであれば良く、上述の最良の形態に限定されるものではない。
被覆除去部材としては、挿入ファイバの被覆を除去する被覆除去刃の後側に、前記挿入ファイバを該被覆除去部材後側から前記被覆除去刃に導く被覆付き光ファイバ挿通孔が形成され、前記被覆付き光ファイバ挿通孔の前端部内周面の周方向に均等の３以上の箇所に、前記挿入ファイバの位置決め用の突部が、その後端から前側に行くにしたがって被覆付き光ファイバ挿通孔内周面からの突出寸法が増大するテーパ状に突設されているものであれば良く、その具体的構成は上述の実施の形態に限定されるものではない。
【０１６９】
上述の実施形態では、被覆除去部材の被覆付き光ファイバ挿通孔３４前端部のみに位置決め用突部が存在する構成を例示したが、被覆付き光ファイバ挿通孔内周面３４ｂに突設する位置決め用突部としてはこの構成に限定されない。位置決め用突部としては、そのファイバ当接案内部の、被覆付き光ファイバ挿通孔３４前端部に位置する前端から後側の部分が、被覆付き光ファイバ挿通孔３４の軸線方向中央部あるいは後端部まで延在する構成、すなわち位置決め用突部自体が被覆付き光ファイバ挿通孔３４の前端部から軸線方向中央部あるいは後端部まで延在する突条をなす構成としても良い。
【０１７０】
また、被覆除去部材としては、被覆付き光ファイバ挿通孔内周面３４ｂの周方向の３以上の箇所に、挿入ファイバの案内用の突条（以下、ファイバ案内用突条とも言う）を、被覆付き光ファイバ挿通孔３４の軸線方向に沿って一定突出寸法で突設し、被覆付き光ファイバ挿通孔３４前端部に位置するファイバ案内用突条前端部に位置決め用突部を突設した構成も採用可能である。
被覆付き光ファイバ挿通孔内周面３４ｂの周方向におけるファイバ案内用突条の突設数は、被覆付き光ファイバ挿通孔内周面３４ｂの周方向における位置決め用突部の突設数と同数あるいはそれよりも多くする。ファイバ案内用突条のうち、前端部に位置決め用突部を突設したファイバ案内用突条は、被覆付き光ファイバ挿通孔内周面３４ｂの周方向に均等に設けられる。位置決め用突部は、ファイバ案内用突条の被覆付き光ファイバ挿通孔の軸線に臨む側に、後側から前側に行くにしたがって突出寸法が増大するテーパ状に突設する。
【０１７１】
被覆付き光ファイバ挿通孔内周面３４ｂの周方向の３以上の箇所にファイバ案内用突条を突設した構成は、被覆付き光ファイバ挿通孔３４内においてファイバ案内用突条が設定する挿入ファイバ１の収納範囲（ファイバ収納範囲）を被覆付き光ファイバ挿通孔、前記収納範囲の外周を被覆付き光ファイバ挿通孔内周面とみなすことができる。被覆付き光ファイバ挿通孔内周面３４ｂに突設されたファイバ案内用突条が設定するファイバ収納範囲（被覆付き光ファイバ挿通孔）は、挿入ファイバ１外径に比べて僅かに大きい径の仮想円筒面の範囲とする。このファイバ収納範囲は、前記仮想円筒面が、該ファイバ収納範囲の内周面（仮想内周面）として機能し、該内周面を被覆付き光ファイバ挿通孔内周面とみなすことができる。ファイバ案内用突条を突設する被覆付き光ファイバ挿通孔内周面は、ファイバ収納範囲の仮想内周面に比べて径大とする。
被覆付き光ファイバ挿通孔内周面３４ｂに突設されたファイバ案内用突条が設定するファイバ収納範囲は、その後側から挿入した挿入ファイバ１外周にファイバ案内用突条のみが接触して挿入ファイバ１の前進を案内する構成である。ファイバ収納範囲は、丸孔状の被覆付き光ファイバ挿通孔３４に比べて、挿入ファイバ１外周との接触部分が少ないため、挿入ファイバ１の前進抵抗を軽減でき、コネクタ後側からの挿入ファイバ１の押し込み力の低減に有効に寄与する。
【０１７２】
クランプ部の構成は、光ファイバを調心して端面同士の突き合わせ接続をクランプ保持する構成のものであれば、構造や形状は特に限定されるものではない。例えば、ベース部（図示例では後側延出片のクランプベース部）との間に光ファイバを挟み込む蓋部材の個数は２個に限定されず、１個でも３以上の複数個でもよい。
本発明は、フェルールに複数の内蔵ファイバが内挿固定された光コネクタに適用することもできる。この場合、クランプ部に設けられる位置決め溝などの調心機構は、少なくとも、内蔵ファイバの本数分設ければ、該光コネクタによってコネクタ成端される光ファイバのそれぞれを、調心機構によって内蔵ファイバと光接続させることができる。
挿入ファイバに固定する押圧用固定部材としては、光ファイバケーブル端末を把持して該光ファイバケーブル端末に取り付けられる外被把持部材に限定されない。押圧用固定部材としては、挿入ファイバとして用いる被覆付き光ファイバを直接把持して該被覆付き光ファイバに取り付けることができる構成のものも採用可能である。
光コネクタとしては、フェルールを収納するハウジングを有していないものも採用可能である。例えば、上述の実施形態の光コネクタ１００のコネクタ本体１０１自体を光コネクタとして用いることも可能である。
【０１７３】
また、上述の実施形態では、可動ガイドを具備する構成の光コネクタを例示したが、本発明に係る光コネクタとしては、可動ガイドを具備していないものも採用可能である。
すなわち、本発明に係る組立方法を適用する光コネクタとしては、被覆除去部によって被覆除去された裸光ファイバと内蔵ファイバとが突き合わされた状態で、開放ガイドを、例えばベース部材（上記実施形態では案内ベース部）に対するスライド移動、ベース部材からの離間等によって、ベース部材の案内部上に空間を形成するように移動させることが可能な構成のものであれば良い。
そして、光コネクタは、かかる構成により、ベース部材からの離間前は閉じ位置に開放ガイドが配置された状態で被覆除去を円滑に行った後に、挿入ファイバのたわみ変形を許容して、挿入ファイバ先端の裸光ファイバと内蔵ファイバとの突き合わせ接続をより良好にすることができる。
【０１７４】
開放ガイドの前進は、可動ガイドを介することなく、光ファイバ把持部（上記実施形態では押圧用固定部材）によって直接行っても良い。光ファイバ把持部の前進に基づき前記ベース部材から開放ガイドを離間させる構造としては、開放ガイドを光ファイバ把持部に押圧されて前進する可動ガイドによって押圧することで、開放ガイドを例えば斜め前方への移動等によってベース部材から離隔（離間）させる構成に限定されない。この構造としては、例えば、光ファイバ把持部によって直接、開放ガイドを押圧することで、開放ガイドをベース部材から離隔（離間）させることができる構成であっても良い。
また、挿入ファイバは、必ずしも光ファイバ把持部を固定したものである必要は無く、光ファイバ把持部を取り付けていない挿入ファイバを使用しても良い。
光ファイバ把持部としては、光ファイバに着脱可能に固定できる構成のものも採用可能である。この点、挿入ファイバの先端部に組み立てた光コネクタとしては、光ファイバ把持部を具備する構成のものの他、光ファイバ把持部を具備していない構成も採り得る。すなわち、光ファイバ把持部は、挿入ファイバの先端部に組み立てた光コネクタの構成要件に含まれる場合と、含まれない場合とがある。
【０１７５】
上述の実施形態では、可動ガイドを、光ファイバ把持部によって後側から押して、ベース部材（上述の実施形態では案内ベース部５１）及び開放ガイドとの間の隙間を短縮しつつ前進させる構成を例示したが、本発明はこれに限定されない。本発明は、光ファイバ把持部の前進に基づいて、ベース部材及び／又は開放ガイドを移動して、ベース部材の案内部上に空間（たわみ形成空間）を形成する構成を採用可能である。ここで、可動ガイドは、ベース部材後端及び／又は開放ガイド後端に当接する位置に設定した初期位置から光ファイバ把持部によって押して、ベース部材及び／又は開放ガイドとの間の隙間を短縮しつつ前進させることができる。
挿入ファイバ１先端部への光コネクタ１００の組立作業にあっては、挿入ファイバのたわみ変形を規制する閉じ位置から移動された開放ガイドが開放位置に配置されるのが、被覆除去部によって被覆を除去した裸光ファイバ３先端の内蔵ファイバ後端に対する突き当て（突き合わせ）の実現後であれば良く、光ファイバ把持部の前進に基づく開放ガイドの前進開始は、内蔵ファイバに対する裸光ファイバの突き当て前であっても良い。
【０１７６】
図１〜図２７に例示した光コネクタは、開放ガイドが挿入ファイバのたわみ変形を規制する閉じ位置からたわみ変形を許可する位置（開放位置）に待避したときに、第１たわみ幅を確保する一対の光ファイバ押さえ片４２、４２を有している。そして、上述の実施形態では、光コネクタにその後側から押し込んだ挿入ファイバ先端に被覆除去によって口出しした裸光ファイバを内蔵ファイバに突き合わせ接続し、開放ガイドを閉じ位置から開放位置に待避させたときに、一対の光ファイバ押さえ片４２、４２の間に確保される第１たわみ幅で挿入ファイバをたわませた後、光ファイバ押さえ片４２、４２を収容溝に挿入ファイバを押さえ込む位置（ファイバ押さえ位置）から待避させて第２たわみ幅を以て挿入ファイバをたわませる構成を例示した。しかしながら、本発明に係る実施形態の光コネクタとしては一対の光ファイバ押さえ片４２、４２を有していない構成も採用可能である。この場合、挿入ファイバ先端に被覆除去によって口出しした裸光ファイバを内蔵ファイバに突き合わせ接続し、開放ガイドを閉じ位置から開放位置に待避させたときに、挿入ファイバを第１たわみ幅でのたわみ変形を経ることなく、第２たわみ幅で変形させることができる。
この場合は、例えば、光コネクタにその後側から挿入する挿入ファイバの押圧用固定部材からの突出寸法の調整によって、第２たわみ幅でたわみ変形させた挿入ファイバ先端の裸光ファイバと内蔵ファイバとの端面同士の間に作用する荷重（突き当て力）を例えば０．３Ｎ〜１Ｎの範囲内としても良い。
【０１７７】
挿入ファイバとしては、光ファイバケーブル端末に露出させた被覆付き光ファイバに限定されず、その全長にわたって被覆外周面が露出している光ファイバ心線、光ファイバ素線といった被覆付き光ファイバであっても良い。
押圧用固定部材（光ファイバ把持部）としては、挿入ファイバに対して、光ファイバケーブルの外被を介することなく、挿入ファイバである被覆付き光ファイバに、直接、固定できる構成のものも採用可能である。
【０１７８】
また、押圧用固定部材としては、挿入ファイバに対して脱着可能な構成のものを用いることも可能である。この場合は、例えば、押圧用固定部材を固定した挿入ファイバの突出部を光コネクタにその後側から挿入して先端の裸光ファイバを内蔵ファイバに突き合わせ接続し、この挿入ファイバを第２たわみ幅で変形させた状態で、クランプ部のベース部（図示例では後側延出片のクランプベース部）と蓋部材との間に介挿されている介挿片をクランプ部から抜き去っ（抜き出し）てクランプ部に挿入ファイバを把持固定した後に、押圧用固定部材の挿入ファイバに対する固定を解いて、挿入ファイバのたわみ変形を解消しても良い。押圧用固定部材は、光コネクタのハウジングに対して引き留める必要は無い。このため、押圧用固定部材は、挿入ファイバに対する固定を解いた後に、挿入ファイバから撤去しても良い。
挿入ファイバに対して脱着可能な構成の押圧用固定部材は、先端に口出しした裸光ファイバを内蔵ファイバに突き合わせ接続（例えば０．３Ｎ〜１Ｎの範囲の突き当て力を以て突き合わせ接続する）した挿入ファイバを第１たわみ幅でたわみ変形させた後に第２たわみ幅で変形させる場合のみならず、一対の光ファイバ押さえ片４２、４２を用いず、挿入ファイバを第１たわみ幅でのたわみ変形を経ることなく第２たわみ幅で変形させる場合にも好適に適用可能である。
【符号の説明】
【０１７９】
１…被覆付き光ファイバ（挿入ファイバ）、２…被覆、３…裸光ファイバ、４…たわみ変形、１０…フェルール、１２…内蔵ファイバ、２０…クランプ部、２１…第２ベース部材（クランプベース部）、２５…調心溝（Ｖ溝）、２６…（ベース部材の）案内部（光ファイバ収容溝）、３０、３０Ａ…被覆除去部材、３１、３１Ａ…被覆除去部（被覆除去刃）、３１ａ…環状刃部、３１ｂ、３１ｃ…板状刃部、３２…窓孔、３２ａ…窓孔の前側の内壁面（窓孔前側内壁面）、３２ｂ…窓孔後側内壁面、３３…裸光ファイバ挿通孔、３４…被覆付き光ファイバ挿通孔、３４ｂ…（被覆付き光ファイバ挿通孔の）内周面、３４Ｐ…被覆付き光ファイバ挿通孔の軸線、３６…窓孔を介して前後方向に直交する両側に位置する壁部（横壁部）、３７…位置決め用の突部（位置決め用突部）、３７ｂ…最大突出部（最大突出点）、３７１…位置決め用の突部（位置決め用突部）、３７１ｂ…最大突出部（最大突出点）、３７１ｅ…傾斜面、凹曲面（凹曲傾斜面）、３７２…位置決め用の突部（位置決め用突部）、３７２ａ…稜線、３７２ｂ…最大突出部（最大突出点）、５０…開放ガイド、５１…ベース部材（案内ベース部）、５２…離間構造（レール部）、５３…空間（隙間）、６０…押さえ込み部、可動ガイド（拘束部付き可動ガイド）、６１…押さえ込み部（拘束スリーブ）、６２…可動ガイド、６３…（可動ガイドの）案内構造（貫通孔）、１００…光コネクタ、１０１…光コネクタ（コネクタ本体）、１１０…案内構造（後部ガイド部）、１２０…光ファイバ把持部（押圧用固定部材）、Ｐ…突き合わせ部（突き合わせ接続部）。
【図１】
0005596634.tif 000002
【図２】
0005596634.tif 000003
【図３】
0005596634.tif 000004
【図４】
0005596634.tif 000005
【図５】
0005596634.tif 000006
【図６】
0005596634.tif 000007
【図７】
0005596634.tif 000008
【図８】
0005596634.tif 000009
【図９】
0005596634.tif 000010
【図１０】
0005596634.tif 000011
【図１１】
0005596634.tif 000012
【図１２】
0005596634.tif 000013
【図１３】
0005596634.tif 000014
【図１４】
0005596634.tif 000015
【図１５】
0005596634.tif 000016
【図１６】
0005596634.tif 000017
【図１７】
0005596634.tif 000018
【図１８】
0005596634.tif 000019
【図１９】
0005596634.tif 000020
【図２０】
0005596634.tif 000021
【図２１】
0005596634.tif 000022
【図２２】
0005596634.tif 000023
【図２３】
0005596634.tif 000024
【図２４】
0005596634.tif 000025
【図２５】
0005596634.tif 000026
【図２６】
0005596634.tif 000027
【図２７】
0005596634.tif 000028
【図２８】
0005596634.tif 000029
【図２９】
0005596634.tif 000030
【図３０】
0005596634.tif 000031
【図３１】
0005596634.tif 000032
【図３２】
0005596634.tif 000033
【図３３】
0005596634.tif 000034
【図３４】
0005596634.tif 000035
【図３５】
0005596634.tif 000036
【図３６】
0005596634.tif 000037
【図３７】
0005596634.tif 000038